(57)【要約】【課題】径方向の大型化を抑えやすく画角の確保に有利な撮影用２群ズームレンズ及びそれを備えた撮像装置を提供する。【解決手段】撮像面上に像を形成する撮影用２群ズームレンズであって、物体側から像側に順に、負屈折力の第１レンズ群Ｇ１と、正屈折力の第２レンズ群Ｇ２とからなり、広角端から望遠端への変倍に際し、その第１レンズ群とその第２レンズ群との間隔は狭まり、その第１レンズ群は、物体側から像側に順に、負屈折力の第１レンズ、負屈折力の第２レンズ、正屈折力の第３レンズからなり、所定の条件式を満足する。【選択図】図１
2010250233.tif 000002
【特許請求の範囲】
【請求項１】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
以下の条件式（１）、（２−２）を満足する
ことを特徴とする撮影用２群ズームレンズ。
１．２８  ＜  ｜ｆ１｜／  ＩＨ  ＜  １．７２    （１）
２．１  ＜  ｆ２  ／  ＩＨ                      （２−２）
ただし、
ｆ１は前記第１レンズ群の焦点距離、
ｆ２は前記第２レンズ群の焦点距離、
ＩＨは前記撮像面における有効撮像領域の最大像高
である。
【請求項２】
以下の条件式（２−３）を満足する
ことを特徴とする請求項１記載の撮影用２群ズームレンズ。
２．１  ＜  ｆ２  ／  ＩＨ  ＜  ２．５            （２−３）
【請求項３】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
前記第２レンズ群は、前記第２レンズ群中の最も像側に配置された非球面レンズを有し、
以下の条件式（１）を満足する
ことを特徴とする撮影用２群ズームレンズ。
１．２８  ＜  ｜ｆ１｜／  ＩＨ  ＜  １．７２            （１）
ただし、
ｆ１は前記第１レンズ群の焦点距離、
ＩＨは前記撮像面における有効撮像領域の最大像高
である。
【請求項４】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
前記第２レンズ群は、物体側から像側に順に、
物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（１）、（３）を満足する
ことを特徴とする撮影用２群ズームレンズ。
１．２８  ＜  ｜ｆ１｜／  ＩＨ  ＜  １．７２            （１）
４．０  ＜  ｆｌ＿ｇ２ａ  ／  ＩＨ                      （３）
ただし、
ｆ１は前記第１レンズ群の焦点距離、
ｆｌ＿ｇ２ａは前記第２レンズ群中の前記物体側副レンズ群の焦点距離、
ＩＨは前記撮像面における有効撮像領域の最大像高
である。
【請求項５】
以下の条件式（３−１）を満足する
ことを特徴とする請求項４記載の撮影用２群ズームレンズ。
４．０  ＜  ｆｌ＿ｇ２ａ  ／  ＩＨ  ＜  ７．０      （３−１）
【請求項６】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
以下の条件式（２−４）、（Ａ）を満足する
ことを特徴とする撮影用２群ズームレンズ。
２．１  ＜  ｆ２  ／  ＩＨ  ＜  ２．４５              （２−４）
２ω  ＞  ８５°                                      （Ａ）
ただし、
ｆ２は前記第２レンズ群の焦点距離、
ＩＨは前記撮像面における有効撮像領域の最大像高、
ωは広角端における最大撮影半画角
である。
【請求項７】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
且つ、前記第１レンズ、前記第２レンズ、前記第３レンズの各々は単レンズであり、
以下の条件式（２−５）、（Ａ）を満足する
ことを特徴とする撮影用２群ズームレンズ。
１．８３  ＜  ｆ２  ／  ＩＨ  ＜  ２．４５              （２−５）
２ω  ＞  ８５°                                        （Ａ）
ただし、
ｆ２は前記第２レンズ群の焦点距離、
ＩＨは前記撮像面における有効撮像領域の最大像高、
ωは広角端における最大撮影半画角
である。
【請求項８】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
前記第２レンズ群は、物体側から像側に順に、
物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（３−２）、（Ａ）を満足する
ことを特徴とする撮影用２群ズームレンズ。
５．０  ＜  ｆｌ＿ｇ２ａ  ／  ＩＨ                    （３−２）
２ω  ＞  ８５°                                      （Ａ）
ただし、
ｆｌ＿ｇ２ａは前記第２レンズ群中の前記物体側副レンズ群の焦点距離、
ＩＨは前記撮像面における有効撮像領域の最大像高、
ωは広角端における最大撮影半画角
である。
【請求項９】
以下の条件式（３−３）を満足する
ことを特徴とする請求項８記載の撮影用２群ズームレンズ。
５．０  ＜  ｆｌ＿ｇ２ａ  ／  ＩＨ    ＜  ７．０          （３−３）
【請求項１０】
撮像面上に像を形成する撮影用２群ズームレンズであって、
物体側から像側に順に、
負屈折力の第１レンズ群と、
正屈折力の第２レンズ群と  からなり、
広角端から望遠端への変倍に際し、
前記第１レンズ群と前記第２レンズ群との間隔は狭まり、
前記第１レンズ群は、物体側から像側に順に、
負屈折力の第１レンズ、負屈折力の第２レンズ、正屈折力の第３レンズからなり、
且つ、前記第１レンズ、前記第２レンズ、前記第３レンズの各々は単レンズであり、
前記第２レンズ群は、物体側から像側に順に、
物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（３）、（Ａ）を満足する
ことを特徴とする撮影用２群ズームレンズ。
４．０  ＜  ｆｌ＿ｇ２ａ  ／  ＩＨ              （３）
２ω  ＞  ８５°                                （Ａ）
ただし、
ｆｌ＿ｇ２ａは前記第２レンズ群中の前記物体側副レンズ群の焦点距離、
ＩＨは前記撮像面における有効撮像領域の最大像高、
ωは広角端における最大撮影半画角
である。
【請求項１１】
以下の条件式（３−１）を満足する
ことを特徴とする請求項１０記載の撮影用２群ズームレンズ。
４．０  ＜  ｆｌ＿ｇ２ａ  ／  ＩＨ    ＜  ７．０          （３−１）
【請求項１２】
前記第１レンズ群中の前記第１レンズは非球面の物体側面と非球面の像側面をもち像側に凹の負メニスカスレンズであり、
前記第１レンズの物体側面は中心よりも周辺にて正の屈折力が大きく、
前記第１レンズの像側面は中心よりも周辺にて負の屈折力が小さい
ことを特徴とする請求項１から１１のいずれかの撮影用２群ズームレンズ。
【請求項１３】
前記第１レンズ群中の前記第１レンズは像側に凹の負メニスカスレンズであり、
前記第２レンズは両凹負レンズであり、
前記第３レンズは物体側に凸の正レンズである
ことを特徴とする請求項１から１２のいずれかの撮影用２群ズームレンズ。
【請求項１４】
無限遠距離合焦から至近距離合焦へのフォーカシングに際し、前記第２レンズ群中の前記物体側副レンズ群が前記第１レンズ群及び前記像側副レンズ群とは独立して移動する
ことを特徴とする請求項４，５，８から１１のいずれかの撮影用２群ズームレンズ。
【請求項１５】
前記第２レンズ群中の前記物体側副レンズ群は正屈折力の単レンズからなる
ことを特徴とする請求項４，５，８から１１、１４のいずれかの撮影用２群ズームレンズ。
【請求項１６】
前記第２レンズ群は、前記第２レンズ群中の最も像側に配置された像側に凸の非球面正レンズを有する
ことを特徴とする請求項１から１５のいずれかの撮影用２群ズームレンズ。
【請求項１７】
以下の条件式（４）を満足する
ことを特徴とする請求項１から１６のいずれかの撮影用２群ズームレンズ。
０．７＜  ｆｌ＿Ｌ０１／ｆ１  ＜１．０            （４）
ただし、
ｆ１は前記第１レンズ群の焦点距離、
ｆｌ＿Ｌ０１は前記第１レンズ群中の前記第１レンズの焦点距離
である。
【請求項１８】
以下の条件式（５）を満足する
ことを特徴とする請求項１から１７のいずれかの撮影用２群ズームレンズ。
０．７＜  ｆ２／Σ２Ｇ  ＜１．０                  （５）
ただし、
ｆ２は前記第２レンズ群の焦点距離、
Σ２Ｇは無限遠距離合焦時における前記第２レンズ群の光軸上での厚み
である。
【請求項１９】
前記ズームレンズの光路中にて空間に接する物体側面と像側面をもち、それら物体側面と像側面の間に空間が無いレンズ体をレンズ成分とするとき、
前記第２レンズ群は、物体側から像側に順に、
正屈折力の第１レンズ成分と、正屈折力の第２レンズ成分と、第３レンズ成分と、負屈折力の第４レンズ成分と、正屈折力の第５レンズ成分からなり、
明るさ絞りが前記第１レンズ成分と前記第２レンズ成分との間に配置される
ことを特徴とする請求項１から１８のいずれかに記載の撮影用２群ズームレンズ。
【請求項２０】
前記第３レンズ成分は、物体側から像側に順に、正レンズ、負レンズ、正レンズからなる接合レンズ成分である
ことを特徴とする請求項１９に記載の撮影用２群ズームレンズ。
【請求項２１】
前記第４レンズ成分は複数のレンズを含む接合レンズ成分である
ことを特徴とする請求項１９または２０に記載の撮影用２群ズームレンズ。
【請求項２２】
前記第５レンズ成分は単レンズである
ことを特徴とする請求項１９から２１のいずれかに記載の撮影用２群ズームレンズ。
【請求項２３】
前記第１レンズ群中の前記第１レンズが以下の条件式（６）を満足するメニスカスレンズである
ことを特徴とする請求項１から１８のいずれかに記載の撮影用２群ズームレンズ。
−１．１５＜（Ｒ＿ｉｍ＋Ｒ＿ｏｂ）／（Ｒ＿ｉｍ−Ｒ＿ｏｂ）＜−１    （６）
ただし、
Ｒ＿ｏｂは前記第１レンズの物体側面の近軸曲率半径、
Ｒ＿ｉｍは前記第１レンズの像側面の近軸曲率半径
である。
【請求項２４】
広角端から望遠端への変倍に際し、
前記第１レンズ群は先ず像側に移動し、その後物体側へ移動し、
前記第２レンズ群は物体側に移動する
ことを特徴とする請求項１から２３のいずれかに記載の撮影用２群ズームレンズ。
【請求項２５】
請求項１から２４のいずれかのズームレンズと、
その像側に配置された前記撮像面を有する撮像素子を有する
ことを特徴とする撮像装置。
【発明の詳細な説明】
【技術分野】
【０００１】
本発明は、撮影用２群ズームレンズ及びそれを備えた撮像装置に関するものである。
【背景技術】
【０００２】
従来より、物体側から像側に順に、負屈折力の第１レンズ群、正屈折力の第２レンズ群からなる２群ズームレンズが知られている。（特許文献１、２）
このような構成とすることで、ズーミングを行うための最少のレンズ群数で構成でき、駆動機構を簡易にできる。
特に広角端での画角の大きい広角ズームレンズや超広角ズームレンズでは、バックフォーカスの確保に有利なこのタイプの構成が用いられることが多い。
【先行技術文献】
【特許文献】
【０００３】
【特許文献１】特許３５８７２７２号公報
【特許文献２】特開２００１−３３０７７４号公報
【発明の概要】
【発明が解決しようとする課題】
【０００４】
しかしながら、広角ズームレンズは広い画角を確保するために、物体側に配置された第１レンズ群が径方向へ大きくなり易い。高性能化のためには、第１レンズ群の構成が複雑化しやすくなるが、これに従って第１レンズ群の小型化にも不利となる。
また、撮像素子の技術的進歩に伴い、デジタルカメラに用いる撮影用ズームレンズの光学性能への要求も日々高くなっていっている。
【０００５】
特許文献１に記載の２群ズームレンズは、簡易な構成により小型な広角ズームレンズを実現しているが、対角画角が８３度程度しかなく更なる広画角化が求められる。加えて、光学性能も低く高画質とは言い難い。
特許文献２に記載の２群ズームレンズは、対角画角１００度を越える超広角ズームレンズを実現しているが、第１レンズ群の構成が、３枚の負レンズと１枚の正レンズからなり、径方向への大型化が避けられない。
【０００６】
このような課題に鑑み、本発明は、径方向の大型化を抑えやすく画角の確保に有利な撮影用２群ズームレンズの提供を目的とするものである。
更には、そのような２群ズームレンズを備えた撮像装置の提供を目的とするものである。
【発明の効果】
【０００７】
本発明によれば、径方向の大型化を抑えやすく画角の確保に有利な撮影用２群ズームレンズを提供することができる。
更には、そのような２群ズームレンズを備えた撮像装置を提供することができる。
【図面の簡単な説明】
【０００８】
【図１】本発明の撮影用２群ズームレンズの実施例１の無限遠物点合焦時の広角端（ａ）、望遠端（ｂ）でのレンズ断面図である。
【図２】本発明の撮影用２群ズームレンズの実施例２の図１と同様の図である。
【図３】本発明の撮影用２群ズームレンズの実施例３の図１と同様の図である。
【図４】本発明の撮影用２群ズームレンズの実施例４の図１と同様の図である。
【図５】本発明の撮影用２群ズームレンズの実施例５の図１と同様の図である。
【図６】実施例１の無限遠距離合焦時の収差図である。
【図７】実施例１の至近距離合焦時の収差図である。
【図８】実施例２の無限遠距離合焦時の収差図である。
【図９】実施例２の至近距離合焦時の収差図である。
【図１０】実施例３の無限遠距離合焦時の収差図である。
【図１１】実施例３の至近距離合焦時の収差図である。
【図１２】実施例４の無限遠距離合焦時の収差図である。
【図１３】実施例４の至近距離合焦時の収差図である。
【図１４】実施例５の無限遠距離合焦時の収差図である。
【図１５】実施例５の至近距離合焦時の収差図である。
【図１６】本発明の撮影用２群ズームレンズを用いた一眼レフレックスカメラの断面図である。
【発明を実施するための形態】
【０００９】
発明を実施するための形態の説明に先立ち、本発明の撮影用２群ズームレンズ及びそれを備えた撮像装置について説明する。
【００１０】
本発明の２群ズームレンズは、撮像面上に像を形成する撮影用２群ズームレンズであって、物体側から像側に順に、負屈折力の第１レンズ群と、正屈折力の第２レンズ群とからなり、広角端から望遠端への変倍に際し、その第１レンズ群とその第２レンズ群との間隔は狭まり、その第１レンズ群は、物体側から像側に順に、負屈折力の第１レンズ、負屈折力の第２レンズ、正屈折力の第３レンズからなる構成を共通に有している。
【００１１】
広角ズームレンズにおいて、バックフォーカスの確保の為、レトロフォーカスタイプとなるように、このような負・正タイプの２群ズームレンズを用いている。
加えて、ＣＣＤやＣ−ＭＯＳセンサーといった撮像素子を用いたデジタルカメラへ使用する場合、撮像素子の持つシェーディング等の特性から、ズームレンズが像側にテレセントリックに近いことが好ましく、像側に正レンズ群を配置することはテレセントリック性を確保する上でも有利となる。
加えて、ズームレンズの構成として最も簡易なタイプの２群ズームレンズとなり、小型化や、メカ機構の簡略化を行う上でも有利となる。
【００１２】
そして、第１レンズ群を上述の構成とすることで、画角の確保と径方向の小型化、光学性能の確保に有利となる。
広角ズームレンズや超広角ズームレンズにおいて、第１レンズ群の最大径（フィルターの装着が可能な場合は第１レンズ群の物体側のフィルター径）はその鏡枠の外径寸法に影響を与える。
また第１レンズ群の最大径は、入射瞳位置（第１レンズ群の物体側面から入射瞳までの距離）と最大画角の２つの光学要素の影響が大きく、一方、所謂画面サイズやＦナンバーといった光学仕様は副次的な要素となる。
最大画角は設計仕様に関する要素であるので、径寸法の小型化のためには入射瞳位置を短くすることが効果的である。そのため、上述の第１レンズ群の構成としている。
第１レンズ群の構成レンズ枚数が４枚以上の場合、収差補正の観点では有利であるが入射瞳位置が長くなってしまい大型化につながる。
加えて、画角を確保した際の非点収差等の収差補正の観点で、２群ズームレンズにおいては各レンズ群内で良好な収差補正を行っておくことが好ましい。特に色収差補正を考慮すれば第１レンズ群内に負レンズと正レンズが少なくとも１枚以上は必要である。加えて、第１レンズ群は強い負の屈折力を必要とする。この負の屈折力を１枚の負レンズで補おうとすると非点収差等が発生する。そのため、良好な収差補正のための最小数のレンズ構成として、負レンズ２枚、正レンズ１枚の構成とし、入射瞳位置を短くするべく第３レンズを正レンズとしている。
【００１３】
このような構成において、以下の構成のいずれかを満足することが好ましい。
【００１４】
上述の２群ズームレンズにて、以下の条件式（１）を満足することが好ましい。
１．２８  ＜  ｜ｆ１｜／  ＩＨ  ＜  １．７２              （１）
ただし、
ｆ１は前記第１レンズ群の焦点距離、
ＩＨは前記撮像面における有効撮像領域の最大像高
である。
条件式（１）は、第１レンズ群の焦点距離と撮像面における有効撮像領域の最大像高の好ましい比を特定するものである。
なお、アスペクト比の電気的な変更や光学系で発生する歪曲収差を画像信号の処理に補正する場合などには、有効撮像領域が変化するが、ＩＨはとり得る範囲での最大値とする。
負正タイプの２群ズームレンズでは、第２レンズ群の横倍率が−１倍（等倍）  となる時、光学系全長（ズームレンズの物体側面から像までの光軸上での距離）が最短となる。加えて、そのときの光学系全系の焦点距離は第１レンズ群の焦点距離の絶対値と等しくなる。
第２レンズ群の等倍位置を基準に考えれば、等倍から離れるほど変倍量に対しての全長の変化が大きくなっていく。このような観点から条件式（１）を満足することが好ましい。
下限を下回らないように第１レンズ群の屈折力を適度に抑えることで、収差補正に有利となる。
上限を上回らないようにすることで、広画角化した際の全長の小型化に有利となる。
【００１５】
上述の２群ズームレンズにて、以下の条件式（２）を満足することが好ましい。
１．８３  ＜  ｆ２  ／  ＩＨ                （２）
ただし、
ｆ２は前記第２レンズ群の焦点距離
である。
条件式（２）は、第２レンズ群の焦点距離と撮像面における有効撮像領域の最大像高の好ましい比を特定するものである。
下限を下回らないようにして第２レンズ群の屈折力を抑えることで収差補正に有利となる。加えて、バックフォーカスの確保や望遠端における第１、第２レンズ群間隔の確保に有利となる。
条件式（２）と条件式（１）を同時に満足することで、光学性能の確保や小型化等に有利となる。
【００１６】
条件式（２）にて上限値２．５を設け、これを上回らないようにすることが好ましい。
１．８５  ＜  ｆ２  ／  ＩＨ  ＜  ２．５                （２−１）
前述したように、光学系全長を短くする上では変倍中のいずれかで第２レンズ群の横倍率を等倍付近となるようにすることが好ましい。第２レンズ群の横倍率が等倍となる時、近軸的には第２レンズ群に対する物点から像点までの距離が第２レンズ群の焦点距離の４倍となる。そのため、光学系全長が最短となるときの光学系全長は第２レンズ群の焦点距離が影響する。このような観点から条件式（２−１）を満足することが好ましい。
条件式（２−１）の上限を上回らないようにして第２レンズ群の屈折力を確保することで、光学系全長の小型化に有利となる。
【００１７】
条件式（２）や（２−１）にて、下限値を２．１とすると、第２レンズ群での収差の低減やバックフォーカスの確保にいっそう有利となる。
条件式（２−１）にて、上限値を２．４５とすると、光学系全長の小型化にいっそう有利となる。
例えば、以下の条件のいずれかを満足することがより好ましい。
２．１  ＜  ｆ２  ／  ＩＨ                        （２−２）
２．１  ＜  ｆ２  ／  ＩＨ  ＜  ２．５            （２−３）
２．１  ＜  ｆ２  ／  ＩＨ  ＜  ２．４５          （２−４）
１．８３  ＜  ｆ２  ／  ＩＨ  ＜  ２．４５        （２−５）
【００１８】
上述の２群ズームレンズにて、第２レンズ群は、その第２レンズ群中の最も像側に配置された非球面レンズを有することが好ましい。
負正タイプの２群ズームレンズの場合、各レンズ群で良好に収差補正することが好ましい。第２レンズ群中に非球面レンズを配置することで、収差補正上有利となる。また、第１レンズ群に比べて径が小さく、非球面の製造が容易となり、コスト上有利となる。加えて、広角ズームレンズにおいては、軸外収差の非点収差やコマ収差が発生しやすくなるが、第２レンズ群中において中心光束と周辺光束の分離量が最も大きくなる最も像側のレンズを前述の非球面レンズとすることで、軸外収差と軸上収差の双方の補正に有利となる。
【００１９】
上述の２群ズームレンズにて、第２レンズ群は、物体側から像側に順に、物体側副レンズ群、像側副レンズ群からなり、明るさ絞りが物体側副レンズ群と像側副レンズ群との間に配置され、その明るさ絞りとその第２レンズ群は広角端から望遠端への変倍の際に物体側に移動することが好ましい。
第２レンズ群の物体側副レンズ群と像側副レンズ群との間に明るさ絞りを配置し、変倍時に第２レンズ群と共に移動させることで、明るさ絞りを移動させない２群ズームレンズと比較して、変倍の際の軸上収差（主に球面収差）の変動を抑えやすくなる。加えて、第２レンズ群中の２つのレンズの間に明るさ絞りを配置することで第２レンズ群の径方向の小型化にも有利となる。
【００２０】
上述の２群ズームレンズにて、明るさ絞りが第２レンズ群中の２つのレンズの間に配置される場合、以下の条件式（３）を満足することが好ましい。
４．０  ＜  ｆｌ＿ｇ２ａ  ／  ＩＨ                （３）
ただし、
ｆｌ＿ｇ２ａは前記第２レンズ群中の前記物体側副レンズ群の焦点距離、
である。
条件式（３）は物体側副レンズ群の焦点距離と撮像面における有効撮像領域の最大像高の好ましい比を特定するものである。
下限を下回らないようにして物体側副レンズ群の正の屈折力を抑えることで、像側副レンズ群との偏心による性能劣化を軽減しやすくなる。
【００２１】
条件式（３）に上限値７．０を設け、これを上回らないようにすることが好ましい。
４．０  ＜  ｆｌ＿ｇ２ａ  ／  ＩＨ  ＜  ７．０          （３−１）
条件式（３−１）の上限を上回らないようにして、物体側副レンズ群の正の屈折力を確保することで、明るさ絞りの前後の正屈折力配置による収差補正に有利となる。
【００２２】
条件式（３）や（３−１）にて、下限値を５．０とすると、物体側副レンズ群の偏心による性能劣化の軽減にいっそう有利となる。
例えば、以下の条件のいずれかを満足することがより好ましい。
５．０  ＜  ｆｌ＿ｇ２ａ  ／  ＩＨ                    （３−２）
５．０  ＜  ｆｌ＿ｇ２ａ  ／  ＩＨ  ＜  ７．０        （３−３）
【００２３】
上述の２群ズームレンズにて、以下の条件式（Ａ）を満足することが好ましい。
２ω＞８５°                                （Ａ）
ただし、
ωは広角端における最大撮影半画角
である。
条件式（Ａ）は、広角端における好ましい全画角（半画角ωの２倍）を特定するものである。
本発明の２群ズームレンズは画角の確保に有利であり、条件式（Ａ）の下限値を下回らない画角を確保することで遠近感を強調した表現や深い被写界深度を生かした撮影が可能となる。
【００２４】
上述の２群ズームレンズにて、前述の第１レンズ、前述の第２レンズ、前述の第３レンズの各々は単レンズであることが好ましい。
本発明における２群ズームレンズにおいて、第１レンズ群における構成は収差補正上、最小限の３枚としている。そのため、それぞれのレンズを単レンズとすることで、第１レンズ群の屈折面を６つに分担でき、レンズ同士を接合した場合に比較して、設計自由度を確保でき、収差補正を行いやすくなる。加えて、それぞれのレンズを接合した場合と比較して、第１レンズの径方向の増大化を抑えやすく構成できる。
【００２５】
上述の各構成は、複数を同時に満足することが好ましい。
例えば、条件式（１）と（２−２）を同時に満足することが好ましい。
更には条件式（２−３）を満足することが好ましい。
もしくは、第２レンズ群は、その第２レンズ群中の最も像側に配置された非球面レンズを有し、条件式（１）を満足することが好ましい。
もしくは、前記第２レンズ群は、物体側から像側に順に、物体側副レンズ群、像側副レンズ群からなり、明るさ絞りが前記物体側副レンズ群と前記像側副レンズ群との間に配置され、明るさ絞りと第２レンズ群は広角端から望遠端への変倍の際に物体側に移動し、条件式（１）、（３）を満足することが好ましい。
更には、条件式（３−１）を満足することが好ましい。
もしくは、条件式（２−４）、（Ａ）を満足することが好ましい。
もしくは、第１レンズ、第２レンズ、第３レンズの各々は単レンズであり、条件式（２−５）、（Ａ）を満足することが好ましい。
もしくは、第２レンズ群は、物体側から像側に順に、物体側副レンズ群、像側副レンズ群からなり、明るさ絞りがその物体側副レンズ群とその像側副レンズ群との間に配置され、その明るさ絞りと第２レンズ群は広角端から望遠端への変倍の際に物体側に移動し、条件式（３−２）、（Ａ）を満足することが好ましい。
更には条件式（３−３）を満足することが好ましい。
もしくは、第１レンズ、第２レンズ、第３レンズの各々は単レンズであり、第２レンズ群は、物体側から像側に順に、物体側副レンズ群、像側副レンズ群からなり、明るさ絞りが物体側副レンズ群と像側副レンズ群との間に配置され、その明るさ絞りと第２レンズ群は広角端から望遠端への変倍の際に物体側に移動し、条件式（３）、（Ａ）を満足することが好ましい。
更には、条件式（３−１）を満足することが好ましい。
【００２６】
また、更なる光学性能の向上等のために、以下のいずれか１つ、更には複数の構成を満足することが好ましい。
【００２７】
第１レンズ群中の第１レンズは非球面の物体側面と非球面の像側面をもち像側に凹の負メニスカスレンズであり、その第１レンズの物体側面は中心よりも周辺にて正の屈折力が大きく、第１レンズの像側面は中心よりも周辺にて負の屈折力が小さいことが好ましい。
【００２８】
入射瞳位置を小さくするためには、最も物体側の屈折面が負の屈折力を持つ凹面である方が近軸的には有利である。一方、最も物体側の屈折面を負の屈折力の凹面とすると、過剰な歪曲収差が発生しやすくなる。画像処理により歪曲収差を補正することも可能であるが、補正量が過剰に大きくなると、画面の周辺部の画像が放射状に引き伸ばされるために、周辺部での画質の低下も起こりやすくなる。
また、従来技術として、負レンズの前に正レンズを配置して歪曲収差を補正することが知られている。しかしながら、画角の広い光学系においては、この様な構成とした場合にこの正レンズの径が著しく大きくなってしまい小型化に反する。
従って、小型化と歪曲収差低減とをバランスよく行うためには第１レンズは像面側に凹の負メニスカスレンズとすることが好ましい。
このとき、負メニスカスレンズの物体側面の正の屈折力を大きくすると、相対的に像側面の負の屈折力も大きくなる。構成レンズ枚数を増加させることなく収差補正を行うために、この第１レンズの物体側面と像側面を非球面とし、その形状について、物体側面は中心よりも周辺にて正の屈折力が大きく、像側面は中心よりも周辺にて負の屈折力が小さい形状とすることが好ましい。
なお、負の屈折力が小さいとは、中心部分の局所的な負の屈折力に対して周辺部の局所的な屈折力が０に近い、もしくは、正であることを意味する。
また副次的な効果として、負メニスカスレンズの像側面の非球面化により第１レンズと第２レンズの間の空気間隔を小さくすることが可能となり第１レンズ群の薄型化にもつながる。これにより入射瞳位置も小さくなり小型化に有利となる。
【００２９】
第１レンズ群中の第１レンズは像側に凹の負メニスカスレンズであり、第２レンズは両凹負レンズであり、第３レンズは物体側に凸の正レンズであることが好ましい。
これは第１レンズ群のより好ましいレンズ構成を特定するものである。
第１レンズをメニスカスレンズとし、物体側を凸面とすることによりこの面に入射する光線を緩やかに屈折させることが可能となり、主に歪曲収差の補正に効果的である。そして第２レンズを両凹レンズとすることで両側のレンズ面に負の屈折力を分担し、諸収差の発生を抑えやすくなる。加えて、第２レンズの像側の凹面に向き合う第３レンズの物体側を凸面とすることで、色収差の低減に有利となる。
【００３０】
第２レンズ群を物体側副レンズ群と像側副レンズ群にて構成し、無限遠距離合焦から至近距離合焦へのフォーカシングに際し、第２レンズ群中の物体側副レンズ群が第１レンズ群及び像側副レンズ群とは独立して移動することが好ましい。
軸外光束の分離量が大きい第１レンズ群内のレンズのみを移動させてファーカシングを行う場合と比較し、物体側副レンズ群を移動させてフォーカシングを行うことにより、広角端付近における像面湾曲の変動を小さく抑えることが可能となる。
【００３１】
更には、この物体側副レンズ群のみの移動でフォーカシングを行うことがより好ましい。
これにより複雑なフローティング機構を設けること無く、無限遠から至近距離への撮影が可能となる。加えて、第１レンズ群と比較して物体側副レンズ群は小型であるので、フォーカシングの為の駆動機構も簡素化でき好ましい。
【００３２】
第２レンズ群中の物体側副レンズ群は正屈折力の単レンズからなることが好ましい。
第１レンズ群からの発散する軸上光束を屈折させ、第２レンズ群の径方向のサイズを小さくしやすくなる。
加えて、この物体側副レンズ群をフォーカシング時に移動させる場合、この副レンズ群を正屈折力の単レンズとすることで機構をより軽量化することが可能となり、駆動機構を簡素化し、高速かつ安定した動作を行う上で有利となる。
【００３３】
第２レンズ群は、第２レンズ群中の最も像側に配置された像側に凸の非球面正レンズを有することが好ましい。
第２レンズ群内において、軸上光束と軸外光束が最も分離している最も像側のレンズを非球面レンズとすることで軸外収差の補正に有利となる。
更には、このレンズを像面側に凸の正レンズとすることでズームレンズのテレセントリック性の確保に有利となる。
【００３４】
以下の条件式（４）を満足することが好ましい。
０．７＜  ｆｌ＿Ｌ０１／ｆ１  ＜１．０                （４）
ただし、
ｆｌ＿Ｌ０１は前記第１レンズ群中の前記第１レンズの焦点距離、
である。
【００３５】
条件式（４）は第１レンズ群中の第１レンズの好ましい屈折力を特定するものである。
下限を下回らないようにすることで、軸外収差の発生を抑えやすくなる。
上限を上回らないようにすることで、入射瞳位置を小さくしやすくなり、径方向の小型化に有利となる。
【００３６】
以下の条件式（５）を満足することが好ましい。
０．７＜  ｆ２／Σ２Ｇ  ＜１．０                （５）
ただし、
Σ２Ｇは無限遠距離合焦時における前記第２レンズ群の光軸上での厚み
である。
【００３７】
条件式（５）は第２レンズ群における好ましい光軸上の厚みを特定するものである。
上述したとおり広角端から望遠端への変倍の際の光学系全長が最も短くなるときの全長は第２レンズ群の焦点距離の影響が大きい。そのため、要求仕様により、第２レンズ群の焦点距離がほぼ定まる。
条件式（５）の下限を下回らないようにして第２レンズ群の光軸上での厚みを抑えることで、変倍時の移動空間を確保しやすくなる。
上限を上回らないようにして第２レンズ群の光軸上の厚みを確保することで、第２レンズ群を構成するレンズ枚数を十分に確保でき、良好な収差補正に有利となる。
【００３８】
ズームレンズの光路中にて空間に接する物体側面と像側面をもち、それら物体側面と像側面の間に空間が無いレンズ体をレンズ成分とする。このとき、第２レンズ群は、物体側から像側に順に、正屈折力の第１レンズ成分と、正屈折力の第２レンズ成分と、第３レンズ成分と、負屈折力の第４レンズ成分と、正屈折力の第５レンズ成分からなり、明るさ絞りが第１レンズ成分と第２レンズ成分との間に配置されることが好ましい。
【００３９】
これは第２レンズ群内の最適なレンズ構成を特定したものである。明るさ絞りより物体側に正屈折力の第１レンズ成分を配置し、明るさ絞りの像側に配置された第２レンズ成分から第５レンズ成分を配置することによって諸収差の補正を行いやすくなる。
第２レンズ群中の像側よりに位置する第４レンズ成分を負の屈折力とし、第５レンズ成分を正の屈折力とすることで、収差の低減とともに、第２レンズ群の後側主点位置を像側よりにできるので、広角端におけるバックフォーカスの確保にも有利となる。
【００４０】
更には、第３レンズ成分は、物体側から像側に順に、正レンズ、負レンズ、正レンズからなる接合レンズ成分であることがより好ましい。
球面収差と色収差（特に軸上色収差）を同時に補正することに有利となる。
【００４１】
また更には、第４レンズ成分は複数のレンズを含む接合レンズ成分であることが好ましい。
第２レンズ群中で負の屈折力が強くなる第４レンズ成分を接合レンズ成分とすることで、色収差、特に倍率の色収差の補正に有利となる。
【００４２】
また更には、第５レンズ成分は単レンズであることが好ましい。
第２レンズ群の光軸上での厚さを抑えやすくなり、径方向のサイズの小型化にも有利となる。
【００４３】
第１レンズ群中の前記第１レンズが以下の条件式（６）を満足するメニスカスレンズであることが好ましい。
−１．１５＜（Ｒ＿ｉｍ＋Ｒ＿ｏｂ）／（Ｒ＿ｉｍ−Ｒ＿ｏｂ）＜  −１      （６）
ただし、
Ｒ＿ｏｂは前記第１レンズの物体側面の近軸曲率半径、
Ｒ＿ｉｍは前記第１レンズの像側面の近軸曲率半径
である。
【００４４】
条件式（６）は第１レンズ群中の第１レンズの好ましいシェープファクターを特定するものである。
下限を下回らないようにすることで、入射瞳位置を小さくしやすくなり、第１レンズの径の小型化に有利となる。
上限を上回らないようにすることで、第１レンズの物体側面を凸とし、歪曲収差の過剰な発生を抑えやすくなる。
加えて、第１レンズ面を非球面化した場合でも、変曲点を持たない断面形状にできるので、製造上、収差補正上ともに好ましい。
【００４５】
広角端から望遠端への変倍に際し、第１レンズ群は先ず像側に移動し、その後物体側へ移動し、第２レンズ群は物体側に移動することが好ましい。
変倍比の確保と全変倍域における光学系全長の短縮化の両立に有利となる。
【００４６】
ズームレンズと、その像側に配置された撮像面を有する撮像素子を有する撮像装置にて、上述のいずれかのズームレンズを用いることが好ましい。
上述のズームレンズはテレセントリック性が良好であるので撮像面への光線の斜入射による影響を抑えられ、高画質の画像を得られる。
【００４７】
上述の各構成は複数を同時に満足することがより好ましい。また、各条件式について、以下のようにすることでその効果をより確実にでき好ましい。
条件式（１）について、
下限値を１．３５、さらには１．４０とすることがより好ましい。
上限値を１．６５、さらには１．６０とすることがより好ましい。
条件式（２）、（２−１）について、
下限値を２．１、さらには２．２とすることがより好ましい。
上限値を２．４５、さらには２．４０とすることがより好ましい。
条件式（３）、（３−１）について、
下限値を５．０、さらには５．３とすることがより好ましい。
上限値を６．５、さらには６．０とすることがより好ましい。
条件式（４）について、
下限値を０．７１とすることがより好ましい。
上限値を０．９５とすることがより好ましい。
条件式（５）について、
下限値を０．７５、さらには０．８とすることがより好ましい。
上限値を０．９５とすることがより好ましい。
条件式（６）について、
下限値を−１．１とすることがより好ましい。
上限値を−１．０５とすることがより好ましい。
条件式（Ａ）について、
下限値を９０°とすることがより好ましい。
上限値を設け、１２０°さらには１１５°を上回らないようにすると、第１レンズの径サイズの小型化に有利となる。
なお、２群ズームレンズがフォーカシング可能な場合、各条件式は最も遠距離に合焦した状態での値とする。
【００４８】
以下に本発明に基づく実施の形態について説明する。いずれの実施形態も、上述のような工夫を施すことで、広い広角端画角をもち、径方向も小型で、光学性能も良好な撮影用２群ズームレンズを提供している。
【００４９】
また、各実施例のズームレンズは、コンパクトなデジタルカメラやレンズ交換式のデジタルカメラの撮影レンズに用いると、広画角で径方向が小さく、尚且つ光学性能の優れたデジタルカメラを構成できる。
【００５０】
以下に示す各実施例は、レンズ交換式、もしくはレンズ一体型のデジタルカメラのズームレンズおよびそれを備えた撮像装置の例である。実施例１〜５においては、高い光学性能を持ち、かつ、コンパクト性に優れた広角ズームレンズとなっている。実施例１〜５は全変倍域にて有効撮像領域は矩形で一定である。各実施形態での条件式対応値は無限遠物点に合焦した状態での値である。全長は、レンズの入射面から射出面までの光軸上の距離にバックフォーカスＢＦを加えたものである。バックフォーカスＢＦは、空気換算長で示している。
【００５１】
次に、各実施例の広角端から望遠端への移動方式を示す。第１レンズ群Ｇ１は、像側に移動後物体側に移動する。第２レンズ群Ｇ２は、物体側にのみ移動する。第２レンズ群Ｇ２の最も物体側のレンズ成分（物体側副レンズ群ＳＧ２ａ）を像側に移動させることで無限遠距離から至近距離へのフォーカシングを行う。
【００５２】
以下、本発明の２群ズームレンズの実施例１〜５について説明する。実施例１〜５の（ａ）無限遠物点合焦時の広角端、（ｂ）望遠端でのレンズ断面図をそれぞれ図１〜図５に示す。
【００５３】
各図中、第１レンズ群はＧ１、第２レンズ群はＧ２、明るさ絞りはＳ、撮像素子としてのＣＣＤ（あるいはＣＭＯＳ等）の撮像面はＩで示してある。明るさ絞りは開口サイズが可変の開口部をもち、Ｆナンバーを変更可能としている。（後述する数値実施例のＦナンバーは変更可能の範囲での最小Ｆナンバーを示している。）ＣＣＤのカバーガラスは図１から５及び後述する数値データでは省略し、後述する図１６の説明にて図示する。ローパスフィルターや赤外カット吸収フィルターをバックフォーカス中に配置してもよい。
【００５４】
実施例１のズームレンズは、図１に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００５５】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００５６】
物体側から順に、第１レンズ群Ｇ１は、物体側に凸面を向け像側に凹面を向けた負メニスカスレンズと、両凹負レンズと、物体側に凸面を向けた正メニスカスレンズとからなり、第２レンズ群Ｇ２は、両凸正レンズと、物体側に凸面を向けた正メニスカスレンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００５７】
非球面は、第１レンズ群Ｇ１の負メニスカスレンズの両面、両凹負レンズの像側面、第２レンズ群Ｇ２の最も像側の両凸正レンズの両面の５面に用いている。
【００５８】
第２レンズ群Ｇ２の最も物体側の両凸正レンズを像側に移動させることで無限遠距離から至近距離へのフォーカシングを行う。
【００５９】
実施例２のズームレンズは、図２に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００６０】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００６１】
物体側から順に、第１レンズ群Ｇ１は、物体側に凸面を向け像側に凹面を向けた負メニスカスレンズと、両凹負レンズと、両凸正レンズとからなり、第２レンズ群Ｇ２は、両凸正レンズと、物体側に凸面を向けた正メニスカスレンズと、両凸正レンズと、両凹負レンズと物体側に凸面を向けたメニスカス正レンズの接合レンズと、両凸正レンズと両凹負レンズの接合レンズと、両凸正レンズからなり、明るさ絞りＳが第２レンズ群Ｇ２の１番目と２番目のレンズの間の間隔に配置される。
【００６２】
非球面は、第１レンズ群Ｇ１の負メニスカスレンズの両面、第２レンズ群Ｇ２の最も像側の両凸正レンズの両面の４面に用いている。
【００６３】
第２レンズ群Ｇ２の最も物体側の両凸正レンズを像側に移動させることで無限遠距離から至近距離へのフォーカシングを行う。
【００６４】
実施例３のズームレンズは、図３に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００６５】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００６６】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、両凸正レンズと、両凸正レンズと両凹負レンズと両凸正レンズの接合レンズと、両凸正レンズと両凹負レンズの接合レンズと、両凸正レンズからなり、明るさ絞りＳが第２レンズ群Ｇ２の１番目と２番目のレンズの間の間隔に配置される。
【００６７】
非球面は、第１レンズ群Ｇ１の負メニスカスレンズの両面、両凹負レンズの両面、第２レンズ群Ｇ２の最も像側の両凸正レンズの両面の６面に用いている。
【００６８】
第２レンズ群Ｇ２の最も物体側の両凸正レンズを像側に移動させることで無限遠距離から至近距離へのフォーカシングを行う。
【００６９】
実施例４のズームレンズは、図４に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００７０】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００７１】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、物体側に凸面を向けた正メニスカスレンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００７２】
非球面は、第１レンズ群Ｇ１の負メニスカスレンズの両面、両凹負レンズの像側面、第２レンズ群Ｇ２の最も像側の両凸正レンズの両面の５面に用いている。
【００７３】
第２レンズ群Ｇ２の最も物体側の両凸正レンズを像側に移動させることで無限遠距離から至近距離へのフォーカシングを行う。
【００７４】
実施例５のズームレンズは、図５に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００７５】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００７６】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、物体側に凸面を向けた正メニスカスレンズと物体側に凸面を向けた正メニスカスレンズの接合レンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００７７】
非球面は、第１レンズ群Ｇ１の負メニスカスレンズの両面、両凹負レンズの両面、第２レンズ群Ｇ２の最も像側の両凸正レンズの両面の６面に用いている。
【００７８】
第２レンズ群Ｇ２の最も物体側の両凸正レンズを像側に移動させることで無限遠距離から至近距離へのフォーカシングを行う。
【００７９】
以下、各実施例におけるレンズの数値データを示す。
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10、A12は非球面係数、E±Nは×１０±Nをそれぞれ示している。
【００８０】
また、各非球面形状は、各実施例における各非球面係数を用いて、以下の式で表される。
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10＋A12×Ｙ12
ただし、光軸方向の座標をＺ、光軸と垂直な方向の座標をＹとする。
【００８１】
数値実施例１
単位     ｍｍ
面データ
面番号                    ｒ         ｄ        ｎｄ      νｄ
1（非球面）          285.432     2.500    1.8061     40.92
2（非球面）            9.344     6.995
3                    -30.289     1.900    1.5831     59.38
4（非球面）          146.911     1.000
5                     21.720     3.405    1.8052     25.42
6                    198.439     可変
7                    223.185     1.940    1.5500     50.00
8                    -40.508     可変
9（明るさ絞り）        ∞        1.000
10                     15.538     2.186    1.7787     41.84
11                   1391.478     0.200
12                    149.497     4.062    1.4875     70.23
13                    -29.117     0.900    1.9037     31.32
14                     14.259     5.564    1.4970     81.54
15                    -21.672     0.200
16                    -69.876     3.536    1.6129     37.00
17                    -10.084     1.100    1.8830     40.76
18                     25.640     0.364
19（非球面）          21.011      5.200    1.5825     59.32
20（非球面）         -14.814      可変
像面（撮像面）         ∞
非球面データ
第１面
K=328.22,A4=3.896E-05,A6=-2.457E-07,A8=8.354E-10,A10=-1.221E-12
第２面
K=-0.690,A4=-3.169E-05,A6=1.950E-07,A8=-1.062E-08,A10=7.114E-11,A12=-3.377E-13
第４面
K=0.000,A4=8.043E-05,A6=3.713E-07,A8=-4.692E-10,A10=2.478E-11
第１９面
K=0.000,A4=-8.389E-05,A6=4.703E-07,A8=-3.630E-09,A10=1.783E-11
第２０面
K=-0.863,A4=-1.149E-05,A6=-1.448E-07,A8=3.639E-09,A10=-2.567E-11
ズームデータ
広角           望遠
焦点距離          10.20          19.60
Ｆナンバー         4.08           5.77
画角（２ω）      99.9°         58.5°
像高（ＩＨ）      10.82          10.82
無限遠距離合焦時
物体から第１面     ∞             ∞
d6           20.494          1.500
d8            3.764          3.764
d20          21.136         34.866
ＢＦ              21.136         34.866
レンズ全長        87.45          82.18
至近距離合焦時
物体から第１面   161.195        166.429
d6           22.088          3.386
d8            2.169          1.877
d20          21.136         34.866
ズームレンズ群データ(無限遠距離合焦時）
群        始面        焦点距離
1           1          -16.63
2           7           24.29
【００８２】
数値実施例２
単位     ｍｍ
面データ
面番号                    ｒ         ｄ        ｎｄ      νｄ
1（非球面）          259.881     2.862    1.8061     40.92
2（非球面）           12.090     6.660
3                   -129.165     1.514    1.7200     46.02
4                     16.241     3.975
5                     26.845     4.244    1.7552     27.51
6                    -84.436     可変
7                    200.319     1.488    1.7200     43.69
8                    -52.917     可変
9（明るさ絞り）        ∞        1.019
10                     11.325     1.699    1.7170     47.92
11                     16.811     2.012
12                     15.960     3.119    1.4970     81.54
13                    -24.642     0.215
14                    -27.181     2.085    1.8830     40.76
15                      8.486     4.355    1.4875     70.23
16                    485.707     0.200
17                     16.881     7.652    1.4875     70.23
18                    -10.733     1.000    1.8061     40.92
19                    289.247     2.011
20（非球面）           35.050     5.388    1.7432     49.34
21（非球面）          -42.199     可変
像面（撮像面）          ∞
非球面データ
第１面
K=224.787,A4=5.577E-05,A6=-2.794E-07,A8=6.255E-10,A10=-6.712E-13
第２面
K=-0.319,A4=1.256E-05,A6=2.775E-07,A8=-5.365E-09,A10=-1.023E-11,A12=8.892E-14
第２０面
K=1.671,A4=-9.687E-06,A6=6.555E-07,A8=-5.731E-10,A10=4.395E-12
第２１面
K=-4.8048,A4=4.627E-05,A6=3.683E-07,A8=3.160E-09,A10=3.753E-12
ズームデータ
広角           望遠
焦点距離           9.18          17.64
Ｆナンバー         4.08           5.77
画角（２ω）     105.9°         64.1°
像高（ＩＨ）      10.82          10.82
無限遠距離合焦時
物体から第１面      ∞             ∞
d6           23.825          1.526
d8            3.145          3.145
d21          14.981         28.099
ＢＦ              14.981         28.099
レンズ全長        93.49          84.19
至近距離合焦時
物体から第１面   155.108        164.047
d6           25.581          3.176
d8            1.383          1.500
d21          14.981         28.099
ズームレンズ群データ(無限遠距離合焦時）
群        始面        焦点距離
1           1          -16.67
2           7           25.61
【００８３】
数値実施例３
単位     ｍｍ
面データ
面番号                    ｒ         ｄ        ｎｄ      νｄ
1（非球面）          270.000     2.500    1.8061     40.92
2（非球面）            9.581     7.868
3（非球面）          -29.530     1.900    1.5831     59.38
4（非球面）          131.709     1.679
5                     23.237     3.550    1.8052     25.42
6                    199.460     可変
7                     91.294     1.940    1.5508     50.02
8                    -54.840     可変
9（明るさ絞り）        ∞        1.000
10                     16.352     3.235    1.6983     45.38
11                   -502.856     0.200
12                     95.470     5.375    1.4875     70.23
13                    -22.204     0.900    1.9037     31.32
14                     14.744     5.608    1.4970     81.54
15                    -25.369     0.200
16                    882.016     3.758    1.6129     37.00
17                    -11.915     1.100    1.8830     40.76
18                     29.134     0.350
19（非球面）           21.255     5.200    1.5825     59.32
20（非球面）          -17.042     可変
像面（撮像面）          ∞
非球面データ
第１面
K=207.60,A4=2.493E-05,A6=-1.316E-07,A8=4.345E-10,A10=-5.985E-13
第２面
K=-0.859,A4=-4.460E-05,A6=1.766E-07,A8=-5.948E-09,A10=3.483E-11,A12=-7.197E-14
第３面
K=-0.1445,A4=-3.773E-06,A6=1.829E-07,A8=2.361E-10,A10=-1.848E-12
第４面
K=0.000,A4=8.459E-05,A6=4.913E-07,A8=6.382E-10,A10=-3.051E-12
第１９面
K=0.000,A4=-5.724E-05,A6=3.097E-07,A8=-1.306E-09,A10=1.094E-11
第２０面
K=-1.277,A4=4.148E-06,A6=4.384E-08,A8=2.274E-09,A10=2.946E-12
ズームデータ
広角           望遠
焦点距離           9.18          17.64
Ｆナンバー         4.08           5.77
画角（２ω）     105.7°         63.5°
像高（ＩＨ）      10.82          10.82
無限遠距離合焦時
物体から第１面      ∞             ∞
d6           22.709          1.500
d8            3.883          3.883
d20          18.279         31.037
ＢＦ              18.279         31.037
レンズ全長        91.23          82.78
至近距離合焦時
物体から第１面   157.295         165.800
d6           24.277          3.297
d8            2.316          2.087
d20          18.279         31.037
ズームレンズ群データ(無限遠距離合焦時）
群        始面        焦点距離
1           1          -16.41
2           7           24.74
【００８４】
数値実施例４
単位     ｍｍ
面データ
面番号                    ｒ         ｄ        ｎｄ      νｄ
1（非球面）          338.104     2.500    1.8061     40.92
2（非球面）            9.461     6.184
3                    -28.653     1.900    1.5831     59.38
4（非球面）          189.462     1.000
5                     21.356     3.192    1.8052     25.42
6                    198.383     可変
7                    379.117     1.940    1.5532     52.41
8                    -37.974     可変
9（明るさ絞り）        ∞        1.000
10                     15.170     2.291    1.7863     41.57
11                    378.434     0.200
12                    147.910     3.435    1.4875     70.23
13                    -32.720     0.900    1.9037     31.32
14                     14.723     5.985    1.4970     81.54
15                    -23.347     0.200
16                   -204.418     3.726    1.6129     37.00
17                     -9.998     1.100    1.8830     40.76
18                     20.819     0.486
19（非球面）           19.506     5.200    1.5825     59.32
20（非球面）          -15.903     可変
像面（撮像面）          ∞
非球面データ
第１面
K=563.78,A4=5.709E-05,A6=-3.634E-07,A8=1.208E-09,A10=-1.767E-12
第２面
K=-0.435,A4=-4.103E-05,A6=7.551E-08,A8=-1.168E-08,A10=3.840E-11,A12=-3.730E-13
第４面
K=0.000,A4=8.548E-05,A6=3.413E-07,A8=-1.992E-10,A10=4.110E-11
第１９面
K=0.000,A4=-7.166E-05,A6=3.633E-07,A8=-2.984E-09,A10=2.245E-11
第２０面
K=-0.779,A4=-1.003E-05,A6=-1.344E-07,A8=2.677E-09,A10=-1.595E-11
ズームデータ
広角           望遠
焦点距離          11.22          21.56
Ｆナンバー         4.08           5.77
画角（２ω）      93.4°         53.9°
像高（ＩＨ）      10.82          10.82
無限遠距離合焦時
物体から第１面      ∞             ∞
d6           19.666          2.232
d8            3.350          3.350
d20          22.091         36.962
ＢＦ              22.091         36.962
レンズ全長        86.35          83.78
至近距離合焦時
物体から第１面   162.227        164.800
d6           21.304          4.185
d8            1.713          1.396
d20          22.091         36.962
ズームレンズ群データ(無限遠距離合焦時）
群        始面        焦点距離
1           1          -16.84
2           7           24.22
【００８５】
数値実施例５
単位     ｍｍ
面データ
面番号                    ｒ         ｄ        ｎｄ      νｄ
1（非球面）          269.996     2.500    1.8061     40.92
2（非球面）            9.731     8.809
3（非球面）          -30.470     1.900    1.5831     59.38
4（非球面）           62.995     2.657
5                     24.490     3.807    1.8052     25.42
6                    226.586     可変
7                     55.084     1.940    1.5629     50.41
8                    -96.146     可変
9（明るさ絞り）        ∞        1.000
10                     18.267     2.365    1.6580     47.78
11                     18.806     2.281    1.6386     33.83
12                    349.721     1.551
13                     21.858     2.397    1.4875     70.23
14                    -35.685     0.900    1.9037     31.32
15                     12.087     7.638    1.4970     81.54
16                    -16.936     0.200
17                    -32.946     2.921    1.6129     37.00
18                    -11.868     1.000    1.8830     40.76
19                     54.435     0.350
20（非球面）           22.777     5.755    1.5825     59.32
21（非球面）          -21.280     可変
像面（撮像面）          ∞
非球面データ
第１面
K=187.82,A4=1.683E-05,A6=-1.173E-07,A8=4.407E-10,A10=-5.779E-13
第２面
K=-0.988,A4=-6.429E-05,A6=6.826E-08,A8=-4.804E-09,A10=4.020E-11,A12=-7.592E-14
第３面
K=-0.6094,A4=4.891E-06,A6=1.699E-07,A8=-2.416E-10,A10=5.664E-13
第４面
K=0.000,A4=1.132E-04,A6=4.594E-07,A8=-3.550E-10,A10=-8.878E-12
第２０面
K=0.000,A4=-1.530E-05,A6=7.722E-07,A8=2.270E-10,A10=1.883E-11
第２１面
K=-3.326,A4=2.344E-05,A6=8.464E-07,A8=-2.149E-09,A10=9.076E-11
ズームデータ
広角           望遠
焦点距離           8.16          15.68
Ｆナンバー         4.08           5.77
画角（２ω）     111.9°         69.2°
像高（ＩＨ）      10.82          10.82
無限遠距離合焦時
物体から第１面     ∞             ∞
d6           24.031          1.500
d8            3.921          3.921
d21          17.323         29.738
ＢＦ              17.323         29.738
レンズ全長        95.24          85.13
至近距離合焦時
物体から第１面   153.388        163.479
d6           25.416          3.062
d8            2.536          2.358
d21          17.323         29.738
ズームレンズ群データ(無限遠距離合焦時）
群        始面        焦点距離
1           1          -15.24
2           7           25.16
【００８６】
以上の実施例１〜５の無限遠距離合焦時の収差図をそれぞれ図６、図８、図１０、図１２、図１４に示す。実施例１から５の至近距離合焦時の収差図をそれぞれ図７、図９、図１１、図１３、図１５に示す。これらの収差図において、（ａ）は広角端、（ｂ）は望遠端における球面収差ＳＡ、非点収差ＡＳ、歪曲収差ＤＴ、倍率色収差ＣＣを示す。なお、各収差図中、“ＦＩＹ”は像高を表す。
【００８７】
次に、上記各実施例における条件式（１）〜（Ａ）の対応値を示す。
条件式               実施例１    実施例２    実施例３    実施例４    実施例５  
（１）                1.537       1.541       1.517       1.557       1.408
（２）                2.246       2.368       2.287       2.239       2.326
（３）                5.778       5.388       5.778       5.778       5.778
（４）                0.724       0.949       0.754       0.719       0.825
（５）                0.944       0.808       0.871       0.937       0.841
（６）               -1.068      -1.098      -1.074      -1.058      -1.075
（Ａ）                99.9°     105.9°     105.7°      93.4°     111.9°
【００８８】
各実施例にて、以下の構成としてもよい。
【００８９】
上述の各実施例のズームレンズは矩形の光電変換面（撮像面）上に広角端では樽型の歪曲収差が発生した像が形成される。一方、中間焦点距離状態付近や望遠端では歪曲収差の発生が抑えられる。広角端付近で発生する歪曲収差を画像処理で補正するために、有効撮像領域を、広角端では樽型形状とし、中間焦点距離状態や望遠端では矩形の形状となるようにしてもよい。その場合、あらかじめ設定した有効撮像領域を画像処理により画像変換し、歪みを低減させた矩形の画像情報に変換する。そのため、広角端での像高ＩＨｗは、中間焦点距離状態の像高ＩＨｓや望遠端での像高ＩＨｔよりも小さくなる。
また、このような構成とすれば、第１レンズ群の有効径がいっそう小さくなるので、小径化に有利となる。
【００９０】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
倍率色収差はズーム状態、フォーカス状態、絞り値によって変化するが、各レンズポジション（ズーム状態、フォーカス状態、絞り値）ごとに、第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号を出力することができる。
【００９１】
またゴースト、フレア等の不要光をカットするために、明るさ絞り以外にフレア絞りを任意に配置してもよい。
第１レンズ群の物体側、第１、２レンズ群間、最も像面側の群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また不要光束をカットするだけでなく画面周辺のコマフレア等の光束をカットしても良い。
【００９２】
また、各レンズの空気接触面や接合面に反射防止コートを行い、ゴースト、フレアを軽減してもかまわない。マルチコートであれば効果的にゴースト、フレアを軽減できるので望ましい。２層あるいはそれ以上の膜数のコート材や膜厚を適宜組み合わせることで、更なる反射率の低減や、反射率の分光特性・角度特性等のコントロールなどを行うことが可能となる。また赤外カットコートをレンズ面、カバーガラス等に行ってもかまわない。
【００９３】
図１６は、本発明の撮影用２群ズームレンズを用い、撮像素子として小型のＣＣＤ又はＣ−ＭＯＳセンサー等を用いたレンズ交換式一眼レフレックスカメラの断面図である。図１６において、１は一眼レフレックスカメラ、２は変倍機構と合焦機構を備えた鏡筒内に配置された本発明に基づく撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
また、４は撮像素子面（撮像面）、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。クイックリターンミラー５と撮像素子面４との間には、振動により埃を振り払う防塵フィルター、赤外カットフィルター、ローパスフィルターなどのフィルター類、撮像面を保護するカバーガラスが配置される。
【００９４】
このような構成の一眼レフレックスカメラ１の撮影レンズ系２として、例えば上記実施例１に示した本発明の撮影用２群ズームレンズが用いられる。
【００９５】
また、本発明は、クイックリターンミラーを持たないレンズ交換式デジタルカメラの交換レンズとすることもできる。広い画角が必要な監視カメラや、レンズ交換式ではない所謂コンパクトデジタルカメラに適用してもよい。
【符号の説明】
【００９６】
Ｇ１…第１レンズ群
Ｇ２…第２レンズ群
Ｓ…明るさ絞り
ＳＧ２ａ…物体側副レンズ群
ＳＧ２ｂ…像側副レンズ群
Ｉ…像面（撮像面）
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2010250233.tif 000003
【図２】
2010250233.tif 000004
【図３】
2010250233.tif 000005
【図４】
2010250233.tif 000006
【図５】
2010250233.tif 000007
【図６】
2010250233.tif 000008
【図７】
2010250233.tif 000009
【図８】
2010250233.tif 000010
【図９】
2010250233.tif 000011
【図１０】
2010250233.tif 000012
【図１１】
2010250233.tif 000013
【図１２】
2010250233.tif 000014
【図１３】
2010250233.tif 000015
【図１４】
2010250233.tif 000016
【図１５】
2010250233.tif 000017
【図１６】
2010250233.tif 000018
【手続補正書】
【提出日】平成21年6月4日(2009.6.4)
【手続補正１】
【補正対象書類名】明細書
【補正対象項目名】全文
【補正方法】変更
【補正の内容】
【発明の詳細な説明】
【技術分野】
【０００１】
本発明は、撮影用２群ズームレンズ及びそれを備えた撮像装置に関するものである。
【背景技術】
【０００２】
従来より、物体側から像側に順に、負屈折力の第１レンズ群、正屈折力の第２レンズ群からなる２群ズームレンズが知られている。（特許文献１、２）
このような構成とすることで、ズーミングを行うための最少のレンズ群数で構成でき、駆動機構を簡易にできる。
特に広角端での画角の大きい広角ズームレンズや超広角ズームレンズでは、バックフォーカスの確保に有利なこのタイプの構成が用いられることが多い。
【先行技術文献】
【特許文献】
【０００３】
【特許文献１】特許３５８７２７２号公報
【特許文献２】特開２００１−３３０７７４号公報
【発明の概要】
【発明が解決しようとする課題】
【０００４】
しかしながら、広角ズームレンズは広い画角を確保するために、物体側に配置された第１レンズ群が径方向へ大きくなり易い。高性能化のためには、第１レンズ群の構成が複雑化しやすくなるが、これに従って第１レンズ群の小型化にも不利となる。
また、撮像素子の技術的進歩に伴い、デジタルカメラに用いる撮影用ズームレンズの光学性能への要求も日々高まっている。
【０００５】
特許文献１に記載の２群ズームレンズは、簡易な構成により小型な広角ズームレンズを実現しているが、対角画角が８３度程度しかなく更なる広画角化が求められる。加えて、光学性能も低く高画質とは言い難い。
特許文献２に記載の２群ズームレンズは、対角画角１００度を越える超広角ズームレンズを実現しているが、第１レンズ群の構成が、３枚の負レンズと１枚の正レンズからなり、径方向への大型化が避けられない。
【０００６】
このような課題に鑑み、本発明は、径方向の大型化を抑えやすく画角の確保に有利な撮影用２群ズームレンズの提供を目的とするものである。
更には、そのような２群ズームレンズを備えた撮像装置の提供を目的とするものである。
【課題を解決するための手段】
【０００７】
本発明（第１の側面）の２群ズームレンズは、撮像面上に像を形成する撮影用２群ズームレンズであって、物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、
以下の条件式（１）、（２−２）を満足することを特徴とする。
１．２８  ＜  ｜ｆ１｜／  ＩＨ  ＜  １．７２    （１）
２．１  ＜  ｆ２  ／  ＩＨ                      （２−２）
ただし、
ｆ１は前記第１レンズ群の焦点距離、
ｆ２は前記第２レンズ群の焦点距離、
ＩＨは前記撮像面における有効撮像領域の最大像高
である。
【０００８】
本発明（第２の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、
前記第２レンズ群は、前記第２レンズ群中の最も像側に配置された非球面レンズを有し、
以下の条件式（１）を満足することを特徴とする。
１．２８  ＜  ｜ｆ１｜／  ＩＨ  ＜  １．７２            （１）
ただし、
ｆ１は前記第１レンズ群の焦点距離、
ＩＨは前記撮像面における有効撮像領域の最大像高
である。
【０００９】
本発明（第３の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、
前記第２レンズ群は、物体側から像側に順に、物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（１）、（３）を満足することを特徴とする。
１．２８  ＜  ｜ｆ１｜／  ＩＨ  ＜  １．７２            （１）
４．０  ＜  ｆｌ＿ｇ２ａ  ／  ＩＨ                      （３）
ただし、
ｆ１は前記第１レンズ群の焦点距離、
ｆｌ＿ｇ２ａは前記第２レンズ群中の前記物体側副レンズ群の焦点距離、
ＩＨは前記撮像面における有効撮像領域の最大像高
である。
【００１０】
本発明（第３の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、
以下の条件式（２−４）、（Ａ）を満足することを特徴とする。
２．１  ＜  ｆ２  ／  ＩＨ  ＜  ２．４５              （２−４）
２ω  ＞  ８５°                                      （Ａ）
ただし、
ｆ２は前記第２レンズ群の焦点距離、
ＩＨは前記撮像面における有効撮像領域の最大像高、
ωは広角端における最大撮影半画角
である。
【００１１】
本発明（第４の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、且つ、前記第１レンズ、前記第２レンズ、前記第３レンズの各々は単レンズであり、
以下の条件式（２−５）、（Ａ）を満足することを特徴とする。
１．８３  ＜  ｆ２  ／  ＩＨ  ＜  ２．４５              （２−５）
２ω  ＞  ８５°                                        （Ａ）
ただし、
ｆ２は前記第２レンズ群の焦点距離、
ＩＨは前記撮像面における有効撮像領域の最大像高、
ωは広角端における最大撮影半画角
である。
【００１２】
本発明（第５の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、
前記第２レンズ群は、物体側から像側に順に、物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（３−２）、（Ａ）を満足することを特徴とする。
５．０  ＜  ｆｌ＿ｇ２ａ  ／  ＩＨ                    （３−２）
２ω  ＞  ８５°                                      （Ａ）
ただし、
ｆｌ＿ｇ２ａは前記第２レンズ群中の前記物体側副レンズ群の焦点距離、
ＩＨは前記撮像面における有効撮像領域の最大像高、
ωは広角端における最大撮影半画角
である。
【００１３】
本発明（第６の側面）の２群ズームレンズは、撮像面上に像を形成する撮影用２群ズームレンズであって、
物体側から像側に順に、負屈折力の第１レンズ群と、正屈折力の第２レンズ群とからなり、
広角端から望遠端への変倍に際し、前記第１レンズ群と前記第２レンズ群との間隔は狭まり、
前記第１レンズ群は、物体側から像側に順に、負屈折力の第１レンズ、負屈折力の第２レンズ、正屈折力の第３レンズからなり、且つ、前記第１レンズ、前記第２レンズ、前記第３レンズの各々は単レンズであり、
前記第２レンズ群は、物体側から像側に順に、物体側副レンズ群、像側副レンズ群からなり、
明るさ絞りが前記物体側副レンズ群と前記像側副レンズ群との間に配置され、
前記明るさ絞りと前記第２レンズ群は広角端から望遠端への変倍の際に物体側に移動し、
以下の条件式（３）、（Ａ）を満足することを特徴とする。
４．０  ＜  ｆｌ＿ｇ２ａ  ／  ＩＨ              （３）
２ω  ＞  ８５°                                （Ａ）
ただし、
ｆｌ＿ｇ２ａは前記第２レンズ群中の前記物体側副レンズ群の焦点距離、
ＩＨは前記撮像面における有効撮像領域の最大像高、
ωは広角端における最大撮影半画角
である。
【００１４】
本発明の撮像装置は、上述のいずれかのズームレンズと、その像側に配置された前記撮像面を有する撮像素子を有することを特徴とする。
【発明の効果】
【００１５】
本発明によれば、径方向の大型化を抑えやすく画角の確保に有利な撮影用２群ズームレンズを提供することができる。
更には、そのような２群ズームレンズを備えた撮像装置を提供することができる。
【図面の簡単な説明】
【００１６】
【図１】本発明の撮影用２群ズームレンズの実施例１の無限遠物点合焦時の広角端（ａ）、望遠端（ｂ）でのレンズ断面図である。
【図２】本発明の撮影用２群ズームレンズの実施例２の図１と同様の図である。
【図３】本発明の撮影用２群ズームレンズの実施例３の図１と同様の図である。
【図４】本発明の撮影用２群ズームレンズの実施例４の図１と同様の図である。
【図５】本発明の撮影用２群ズームレンズの実施例５の図１と同様の図である。
【図６】実施例１の無限遠距離合焦時の収差図である。
【図７】実施例１の至近距離合焦時の収差図である。
【図８】実施例２の無限遠距離合焦時の収差図である。
【図９】実施例２の至近距離合焦時の収差図である。
【図１０】実施例３の無限遠距離合焦時の収差図である。
【図１１】実施例３の至近距離合焦時の収差図である。
【図１２】実施例４の無限遠距離合焦時の収差図である。
【図１３】実施例４の至近距離合焦時の収差図である。
【図１４】実施例５の無限遠距離合焦時の収差図である。
【図１５】実施例５の至近距離合焦時の収差図である。
【図１６】本発明の撮影用２群ズームレンズを用いた一眼レフレックスカメラの断面図である。
【発明を実施するための形態】
【００１７】
発明を実施するための形態の説明に先立ち、本発明の撮影用２群ズームレンズ及びそれを備えた撮像装置について説明する。
【００１８】
本発明の２群ズームレンズは、撮像面上に像を形成する撮影用２群ズームレンズであって、物体側から像側に順に、負屈折力の第１レンズ群と、正屈折力の第２レンズ群とからなり、広角端から望遠端への変倍に際し、その第１レンズ群とその第２レンズ群との間隔は狭まり、その第１レンズ群は、物体側から像側に順に、負屈折力の第１レンズ、負屈折力の第２レンズ、正屈折力の第３レンズからなる構成を共通に有している。
【００１９】
広角ズームレンズにおいて、バックフォーカスの確保の為、レトロフォーカスタイプとなるように、このような負・正タイプの２群ズームレンズを用いている。
加えて、ＣＣＤやＣ−ＭＯＳセンサーといった撮像素子を用いたデジタルカメラへ使用する場合、撮像素子の持つシェーディング等の特性から、ズームレンズが像側にテレセントリックに近いことが好ましく、像側に正レンズ群を配置することはテレセントリック性を確保する上でも有利となる。
加えて、ズームレンズの構成として最も簡易なタイプの２群ズームレンズとなり、小型化や、メカ機構の簡略化を行う上でも有利となる。
【００２０】
そして、第１レンズ群を上述の構成とすることで、画角の確保と径方向の小型化、光学性能の確保に有利となる。
広角ズームレンズや超広角ズームレンズにおいて、第１レンズ群の最大径（フィルターの装着が可能な場合は第１レンズ群の物体側のフィルター径）はその鏡枠の外径寸法に影響を与える。
また第１レンズ群の最大径は、入射瞳位置（第１レンズ群の物体側面から入射瞳までの距離）と最大画角の２つの光学要素の影響が大きく、一方、所謂画面サイズやＦナンバーといった光学仕様は副次的な要素となる。
最大画角は設計仕様に関する要素であるので、径寸法の小型化のためには入射瞳位置を短くすることが効果的である。そのため、上述の第１レンズ群の構成としている。
第１レンズ群の構成レンズ枚数が４枚以上の場合、収差補正の観点では有利であるが入射瞳位置が長くなってしまい大型化につながる。
加えて、画角を確保した際の非点収差等の収差補正の観点で、２群ズームレンズにおいては各レンズ群内で良好な収差補正を行っておくことが好ましい。特に色収差補正を考慮すれば第１レンズ群内に負レンズと正レンズが少なくとも１枚以上は必要である。加えて、第１レンズ群は強い負の屈折力を必要とする。この負の屈折力を１枚の負レンズで補おうとすると非点収差等が発生する。そのため、良好な収差補正のための最小数のレンズ構成として、負レンズ２枚、正レンズ１枚の構成とし、入射瞳位置を短くするべく第３レンズを正レンズとしている。
【００２１】
このような構成において、以下の構成のいずれかを満足することが好ましい。
【００２２】
上述の２群ズームレンズにて、以下の条件式（１）を満足することが好ましい。
１．２８  ＜  ｜ｆ１｜／  ＩＨ  ＜  １．７２              （１）
ただし、
ｆ１は前記第１レンズ群の焦点距離、
ＩＨは前記撮像面における有効撮像領域の最大像高
である。
条件式（１）は、第１レンズ群の焦点距離と撮像面における有効撮像領域の最大像高の好ましい比を特定するものである。
なお、アスペクト比の電気的な変更や光学系で発生する歪曲収差を画像信号の処理に補正する場合などには、有効撮像領域が変化するが、ＩＨはとり得る範囲での最大値とする。
負正タイプの２群ズームレンズでは、第２レンズ群の横倍率が−１倍（等倍）  となる時、光学系全長（ズームレンズの物体側面から像までの光軸上での距離）が最短となる。加えて、そのときの光学系全系の焦点距離は第１レンズ群の焦点距離の絶対値と等しくなる。
第２レンズ群の等倍位置を基準に考えれば、等倍から離れるほど変倍量に対しての全長の変化が大きくなっていく。このような観点から条件式（１）を満足することが好ましい。
下限を下回らないように第１レンズ群の屈折力を適度に抑えることで、収差補正に有利となる。
上限を上回らないようにすることで、広画角化した際の全長の小型化に有利となる。
【００２３】
上述の２群ズームレンズにて、以下の条件式（２）を満足することが好ましい。
１．８３  ＜  ｆ２  ／  ＩＨ                （２）
ただし、
ｆ２は前記第２レンズ群の焦点距離
である。
条件式（２）は、第２レンズ群の焦点距離と撮像面における有効撮像領域の最大像高の好ましい比を特定するものである。
下限を下回らないようにして第２レンズ群の屈折力を抑えることで収差補正に有利となる。加えて、バックフォーカスの確保や望遠端における第１、第２レンズ群間隔の確保に有利となる。
条件式（２）と条件式（１）を同時に満足することで、光学性能の確保や小型化等に有利となる。
【００２４】
条件式（２）にて上限値２．５を設け、これを上回らないようにすることが好ましい。
１．８５  ＜  ｆ２  ／  ＩＨ  ＜  ２．５                （２−１）
前述したように、光学系全長を短くする上では変倍中のいずれかで第２レンズ群の横倍率を等倍付近となるようにすることが好ましい。第２レンズ群の横倍率が等倍となる時、近軸的には第２レンズ群に対する物点から像点までの距離が第２レンズ群の焦点距離の４倍となる。そのため、光学系全長が最短となるときの光学系全長は第２レンズ群の焦点距離が影響する。このような観点から条件式（２−１）を満足することが好ましい。
条件式（２−１）の上限を上回らないようにして第２レンズ群の屈折力を確保することで、光学系全長の小型化に有利となる。
【００２５】
条件式（２）や（２−１）にて、下限値を２．１とすると、第２レンズ群での収差の低減やバックフォーカスの確保にいっそう有利となる。
条件式（２−１）にて、上限値を２．４５とすると、光学系全長の小型化にいっそう有利となる。
例えば、以下の条件のいずれかを満足することがより好ましい。
２．１  ＜  ｆ２  ／  ＩＨ                        （２−２）
２．１  ＜  ｆ２  ／  ＩＨ  ＜  ２．５            （２−３）
２．１  ＜  ｆ２  ／  ＩＨ  ＜  ２．４５          （２−４）
１．８３  ＜  ｆ２  ／  ＩＨ  ＜  ２．４５        （２−５）
【００２６】
上述の２群ズームレンズにて、第２レンズ群は、その第２レンズ群中の最も像側に配置された非球面レンズを有することが好ましい。
負正タイプの２群ズームレンズの場合、各レンズ群で良好に収差補正することが好ましい。第２レンズ群中に非球面レンズを配置することで、収差補正上有利となる。また、第１レンズ群に比べて径が小さく、非球面の製造が容易となり、コスト上有利となる。加えて、広角ズームレンズにおいては、軸外収差の非点収差やコマ収差が発生しやすくなるが、第２レンズ群中において中心光束と周辺光束の分離量が最も大きくなる最も像側のレンズを前述の非球面レンズとすることで、軸外収差と軸上収差の双方の補正に有利となる。
【００２７】
上述の２群ズームレンズにて、第２レンズ群は、物体側から像側に順に、物体側副レンズ群、像側副レンズ群からなり、明るさ絞りが物体側副レンズ群と像側副レンズ群との間に配置され、その明るさ絞りとその第２レンズ群は広角端から望遠端への変倍の際に物体側に移動することが好ましい。
第２レンズ群の物体側副レンズ群と像側副レンズ群との間に明るさ絞りを配置し、変倍時に第２レンズ群と共に移動させることで、明るさ絞りを移動させない２群ズームレンズと比較して、変倍の際の軸上収差（主に球面収差）の変動を抑えやすくなる。加えて、第２レンズ群中の２つのレンズの間に明るさ絞りを配置することで第２レンズ群の径方向の小型化にも有利となる。
【００２８】
上述の２群ズームレンズにて、明るさ絞りが第２レンズ群中の２つのレンズの間に配置される場合、以下の条件式（３）を満足することが好ましい。
４．０  ＜  ｆｌ＿ｇ２ａ  ／  ＩＨ                （３）
ただし、
ｆｌ＿ｇ２ａは前記第２レンズ群中の前記物体側副レンズ群の焦点距離、
である。
条件式（３）は物体側副レンズ群の焦点距離と撮像面における有効撮像領域の最大像高の好ましい比を特定するものである。
下限を下回らないようにして物体側副レンズ群の正の屈折力を抑えることで、像側副レンズ群との偏心による性能劣化を軽減しやすくなる。
【００２９】
条件式（３）に上限値７．０を設け、これを上回らないようにすることが好ましい。
４．０  ＜  ｆｌ＿ｇ２ａ  ／  ＩＨ  ＜  ７．０          （３−１）
条件式（３−１）の上限を上回らないようにして、物体側副レンズ群の正の屈折力を確保することで、明るさ絞りの前後の正屈折力配置による収差補正に有利となる。
【００３０】
条件式（３）や（３−１）にて、下限値を５．０とすると、物体側副レンズ群の偏心による性能劣化の軽減にいっそう有利となる。
例えば、以下の条件のいずれかを満足することがより好ましい。
５．０  ＜  ｆｌ＿ｇ２ａ  ／  ＩＨ                    （３−２）
５．０  ＜  ｆｌ＿ｇ２ａ  ／  ＩＨ  ＜  ７．０        （３−３）
【００３１】
上述の２群ズームレンズにて、以下の条件式（Ａ）を満足することが好ましい。
２ω＞８５°                                （Ａ）
ただし、
ωは広角端における最大撮影半画角
である。
条件式（Ａ）は、広角端における好ましい全画角（半画角ωの２倍）を特定するものである。
本発明の２群ズームレンズは画角の確保に有利であり、条件式（Ａ）の下限値を下回らない画角を確保することで遠近感を強調した表現や深い被写界深度を生かした撮影が可能となる。
【００３２】
上述の２群ズームレンズにて、前述の第１レンズ、前述の第２レンズ、前述の第３レンズの各々は単レンズであることが好ましい。
本発明における２群ズームレンズにおいて、第１レンズ群における構成は収差補正上、最小限の３枚としている。そのため、それぞれのレンズを単レンズとすることで、第１レンズ群の屈折面を６つに分担でき、レンズ同士を接合した場合に比較して、設計自由度を確保でき、収差補正を行いやすくなる。加えて、それぞれのレンズを接合した場合と比較して、第１レンズの径方向の増大化を抑えやすく構成できる。
【００３３】
上述の各構成は、複数を同時に満足することが好ましい。
例えば、条件式（１）と（２−２）を同時に満足することが好ましい。
更には条件式（２−３）を満足することが好ましい。
もしくは、第２レンズ群は、その第２レンズ群中の最も像側に配置された非球面レンズを有し、条件式（１）を満足することが好ましい。
もしくは、前記第２レンズ群は、物体側から像側に順に、物体側副レンズ群、像側副レンズ群からなり、明るさ絞りが前記物体側副レンズ群と前記像側副レンズ群との間に配置され、明るさ絞りと第２レンズ群は広角端から望遠端への変倍の際に物体側に移動し、条件式（１）、（３）を満足することが好ましい。
更には、条件式（３−１）を満足することが好ましい。
もしくは、条件式（２−４）、（Ａ）を満足することが好ましい。
もしくは、第１レンズ、第２レンズ、第３レンズの各々は単レンズであり、条件式（２−５）、（Ａ）を満足することが好ましい。
もしくは、第２レンズ群は、物体側から像側に順に、物体側副レンズ群、像側副レンズ群からなり、明るさ絞りがその物体側副レンズ群とその像側副レンズ群との間に配置され、その明るさ絞りと第２レンズ群は広角端から望遠端への変倍の際に物体側に移動し、条件式（３−２）、（Ａ）を満足することが好ましい。
更には条件式（３−３）を満足することが好ましい。
もしくは、第１レンズ、第２レンズ、第３レンズの各々は単レンズであり、第２レンズ群は、物体側から像側に順に、物体側副レンズ群、像側副レンズ群からなり、明るさ絞りが物体側副レンズ群と像側副レンズ群との間に配置され、その明るさ絞りと第２レンズ群は広角端から望遠端への変倍の際に物体側に移動し、条件式（３）、（Ａ）を満足することが好ましい。
更には、条件式（３−１）を満足することが好ましい。
【００３４】
また、更なる光学性能の向上等のために、以下のいずれか１つ、更には複数の構成を満足することが好ましい。
【００３５】
第１レンズ群中の第１レンズは非球面の物体側面と非球面の像側面をもち像側に凹の負メニスカスレンズであり、その第１レンズの物体側面は中心よりも周辺にて正の屈折力が大きく、第１レンズの像側面は中心よりも周辺にて負の屈折力が小さいことが好ましい。
【００３６】
入射瞳位置を小さくするためには、最も物体側の屈折面が負の屈折力を持つ凹面である方が近軸的には有利である。一方、最も物体側の屈折面を負の屈折力の凹面とすると、過剰な歪曲収差が発生しやすくなる。画像処理により歪曲収差を補正することも可能であるが、補正量が過剰に大きくなると、画面の周辺部の画像が放射状に引き伸ばされるために、周辺部での画質の低下も起こりやすくなる。
また、従来技術として、負レンズの前に正レンズを配置して歪曲収差を補正することが知られている。しかしながら、画角の広い光学系においては、この様な構成とした場合にこの正レンズの径が著しく大きくなってしまい小型化に反する。
従って、小型化と歪曲収差低減とをバランスよく行うためには第１レンズは像面側に凹の負メニスカスレンズとすることが好ましい。
このとき、負メニスカスレンズの物体側面の正の屈折力を大きくすると、相対的に像側面の負の屈折力も大きくなる。構成レンズ枚数を増加させることなく収差補正を行うために、この第１レンズの物体側面と像側面を非球面とし、その形状について、物体側面は中心よりも周辺にて正の屈折力が大きく、像側面は中心よりも周辺にて負の屈折力が小さい形状とすることが好ましい。
なお、負の屈折力が小さいとは、中心部分の局所的な負の屈折力に対して周辺部の局所的な屈折力が０に近い、もしくは、正であることを意味する。
また副次的な効果として、負メニスカスレンズの像側面の非球面化により第１レンズと第２レンズの間の空気間隔を小さくすることが可能となり第１レンズ群の薄型化にもつながる。これにより入射瞳位置も小さくなり小型化に有利となる。
【００３７】
第１レンズ群中の第１レンズは像側に凹の負メニスカスレンズであり、第２レンズは両凹負レンズであり、第３レンズは物体側に凸の正レンズであることが好ましい。
これは第１レンズ群のより好ましいレンズ構成を特定するものである。
第１レンズをメニスカスレンズとし、物体側を凸面とすることによりこの面に入射する光線を緩やかに屈折させることが可能となり、主に歪曲収差の補正に効果的である。そして第２レンズを両凹レンズとすることで両側のレンズ面に負の屈折力を分担し、諸収差の発生を抑えやすくなる。加えて、第２レンズの像側の凹面に向き合う第３レンズの物体側を凸面とすることで、色収差の低減に有利となる。
【００３８】
第２レンズ群を物体側副レンズ群と像側副レンズ群にて構成し、無限遠距離合焦から至近距離合焦へのフォーカシングに際し、第２レンズ群中の物体側副レンズ群が第１レンズ群及び像側副レンズ群とは独立して移動することが好ましい。
軸外光束の分離量が大きい第１レンズ群内のレンズのみを移動させてファーカシングを行う場合と比較し、物体側副レンズ群を移動させてフォーカシングを行うことにより、広角端付近における像面湾曲の変動を小さく抑えることが可能となる。
【００３９】
更には、この物体側副レンズ群のみの移動でフォーカシングを行うことがより好ましい。
これにより複雑なフローティング機構を設けること無く、無限遠から至近距離への撮影が可能となる。加えて、第１レンズ群と比較して物体側副レンズ群は小型であるので、フォーカシングの為の駆動機構も簡素化でき好ましい。
【００４０】
第２レンズ群中の物体側副レンズ群は正屈折力の単レンズからなることが好ましい。
第１レンズ群からの発散する軸上光束を屈折させ、第２レンズ群の径方向のサイズを小さくしやすくなる。
加えて、この物体側副レンズ群をフォーカシング時に移動させる場合、この副レンズ群を正屈折力の単レンズとすることで機構をより軽量化することが可能となり、駆動機構を簡素化し、高速かつ安定した動作を行う上で有利となる。
【００４１】
第２レンズ群は、第２レンズ群中の最も像側に配置された像側に凸の非球面正レンズを有することが好ましい。
第２レンズ群内において、軸上光束と軸外光束が最も分離している最も像側のレンズを非球面レンズとすることで軸外収差の補正に有利となる。
更には、このレンズを像面側に凸の正レンズとすることでズームレンズのテレセントリック性の確保に有利となる。
【００４２】
以下の条件式（４）を満足することが好ましい。
０．７＜  ｆｌ＿Ｌ０１／ｆ１  ＜１．０                （４）
ただし、
ｆｌ＿Ｌ０１は前記第１レンズ群中の前記第１レンズの焦点距離、
である。
【００４３】
条件式（４）は第１レンズ群中の第１レンズの好ましい屈折力を特定するものである。
下限を下回らないようにすることで、軸外収差の発生を抑えやすくなる。
上限を上回らないようにすることで、入射瞳位置を小さくしやすくなり、径方向の小型化に有利となる。
【００４４】
以下の条件式（５）を満足することが好ましい。
０．７＜  ｆ２／Σ２Ｇ  ＜１．０                （５）
ただし、
Σ２Ｇは無限遠距離合焦時における前記第２レンズ群の光軸上での厚み
である。
【００４５】
条件式（５）は第２レンズ群における好ましい光軸上の厚みを特定するものである。
上述したとおり広角端から望遠端への変倍の際の光学系全長が最も短くなるときの全長は第２レンズ群の焦点距離の影響が大きい。そのため、要求仕様により、第２レンズ群の焦点距離がほぼ定まる。
条件式（５）の下限を下回らないようにして第２レンズ群の光軸上での厚みを抑えることで、変倍時の移動空間を確保しやすくなる。
上限を上回らないようにして第２レンズ群の光軸上の厚みを確保することで、第２レンズ群を構成するレンズ枚数を十分に確保でき、良好な収差補正に有利となる。
【００４６】
ズームレンズの光路中にて空間に接する物体側面と像側面をもち、それら物体側面と像側面の間に空間が無いレンズ体をレンズ成分とする。このとき、第２レンズ群は、物体側から像側に順に、正屈折力の第１レンズ成分と、正屈折力の第２レンズ成分と、第３レンズ成分と、負屈折力の第４レンズ成分と、正屈折力の第５レンズ成分からなり、明るさ絞りが第１レンズ成分と第２レンズ成分との間に配置されることが好ましい。
【００４７】
これは第２レンズ群内の最適なレンズ構成を特定したものである。明るさ絞りより物体側に正屈折力の第１レンズ成分を配置し、明るさ絞りの像側に配置された第２レンズ成分から第５レンズ成分を配置することによって諸収差の補正を行いやすくなる。
第２レンズ群中の像側よりに位置する第４レンズ成分を負の屈折力とし、第５レンズ成分を正の屈折力とすることで、収差の低減とともに、第２レンズ群の後側主点位置を像側よりにできるので、広角端におけるバックフォーカスの確保にも有利となる。
【００４８】
更には、第３レンズ成分は、物体側から像側に順に、正レンズ、負レンズ、正レンズからなる接合レンズ成分であることがより好ましい。
球面収差と色収差（特に軸上色収差）を同時に補正することに有利となる。
【００４９】
また更には、第４レンズ成分は複数のレンズを含む接合レンズ成分であることが好ましい。
第２レンズ群中で負の屈折力が強くなる第４レンズ成分を接合レンズ成分とすることで、色収差、特に倍率の色収差の補正に有利となる。
【００５０】
また更には、第５レンズ成分は単レンズであることが好ましい。
第２レンズ群の光軸上での厚さを抑えやすくなり、径方向のサイズの小型化にも有利となる。
【００５１】
第１レンズ群中の前記第１レンズが以下の条件式（６）を満足するメニスカスレンズであることが好ましい。
−１．１５＜（Ｒ＿ｉｍ＋Ｒ＿ｏｂ）／（Ｒ＿ｉｍ−Ｒ＿ｏｂ）＜  −１      （６）
ただし、
Ｒ＿ｏｂは前記第１レンズの物体側面の近軸曲率半径、
Ｒ＿ｉｍは前記第１レンズの像側面の近軸曲率半径
である。
【００５２】
条件式（６）は第１レンズ群中の第１レンズの好ましいシェープファクターを特定するものである。
下限を下回らないようにすることで、入射瞳位置を小さくしやすくなり、第１レンズの径の小型化に有利となる。
上限を上回らないようにすることで、第１レンズの物体側面を凸とし、歪曲収差の過剰な発生を抑えやすくなる。
加えて、第１レンズ面を非球面化した場合でも、変曲点を持たない断面形状にできるので、製造上、収差補正上ともに好ましい。
【００５３】
広角端から望遠端への変倍に際し、第１レンズ群は先ず像側に移動し、その後物体側へ移動し、第２レンズ群は物体側に移動することが好ましい。
変倍比の確保と全変倍域における光学系全長の短縮化の両立に有利となる。
【００５４】
ズームレンズと、その像側に配置された撮像面を有する撮像素子を有する撮像装置にて、上述のいずれかのズームレンズを用いることが好ましい。
上述のズームレンズはテレセントリック性が良好であるので撮像面への光線の斜入射による影響を抑えられ、高画質の画像を得られる。
【００５５】
上述の各構成は複数を同時に満足することがより好ましい。また、各条件式について、以下のようにすることでその効果をより確実にでき好ましい。
条件式（１）について、
下限値を１．３５、さらには１．４０とすることがより好ましい。
上限値を１．６５、さらには１．６０とすることがより好ましい。
条件式（２）、（２−１）について、
下限値を２．１、さらには２．２とすることがより好ましい。
上限値を２．４５、さらには２．４０とすることがより好ましい。
条件式（３）、（３−１）について、
下限値を５．０、さらには５．３とすることがより好ましい。
上限値を６．５、さらには６．０とすることがより好ましい。
条件式（４）について、
下限値を０．７１とすることがより好ましい。
上限値を０．９５とすることがより好ましい。
条件式（５）について、
下限値を０．７５、さらには０．８とすることがより好ましい。
上限値を０．９５とすることがより好ましい。
条件式（６）について、
下限値を−１．１とすることがより好ましい。
上限値を−１．０５とすることがより好ましい。
条件式（Ａ）について、
下限値を９０°とすることがより好ましい。
上限値を設け、１２０°さらには１１５°を上回らないようにすると、第１レンズの径サイズの小型化に有利となる。
なお、２群ズームレンズがフォーカシング可能な場合、各条件式は最も遠距離に合焦した状態での値とする。
【００５６】
以下に本発明に基づく実施の形態について説明する。いずれの実施形態も、上述のような工夫を施すことで、広い広角端画角をもち、径方向も小型で、光学性能も良好な撮影用２群ズームレンズを提供している。
【００５７】
また、各実施例のズームレンズは、コンパクトなデジタルカメラやレンズ交換式のデジタルカメラの撮影レンズに用いると、広画角で径方向が小さく、尚且つ光学性能の優れたデジタルカメラを構成できる。
【００５８】
以下に示す各実施例は、レンズ交換式、もしくはレンズ一体型のデジタルカメラのズームレンズおよびそれを備えた撮像装置の例である。実施例１〜５においては、高い光学性能を持ち、かつ、コンパクト性に優れた広角ズームレンズとなっている。実施例１〜５は全変倍域にて有効撮像領域は矩形で一定である。各実施形態での条件式対応値は無限遠物点に合焦した状態での値である。全長は、レンズの入射面から射出面までの光軸上の距離にバックフォーカスＢＦを加えたものである。バックフォーカスＢＦは、空気換算長で示している。
【００５９】
次に、各実施例の広角端から望遠端への移動方式を示す。第１レンズ群Ｇ１は、像側に移動後物体側に移動する。第２レンズ群Ｇ２は、物体側にのみ移動する。第２レンズ群Ｇ２の最も物体側のレンズ成分（物体側副レンズ群ＳＧ２ａ）を像側に移動させることで無限遠距離から至近距離へのフォーカシングを行う。
【００６０】
以下、本発明の２群ズームレンズの実施例１〜５について説明する。実施例１〜５の（ａ）無限遠物点合焦時の広角端、（ｂ）望遠端でのレンズ断面図をそれぞれ図１〜図５に示す。
【００６１】
各図中、第１レンズ群はＧ１、第２レンズ群はＧ２、明るさ絞りはＳ、撮像素子としてのＣＣＤ（あるいはＣＭＯＳ等）の撮像面はＩで示してある。明るさ絞りは開口サイズが可変の開口部をもち、Ｆナンバーを変更可能としている。（後述する数値実施例のＦナンバーは変更可能の範囲での最小Ｆナンバーを示している。）ＣＣＤのカバーガラスは図１から５及び後述する数値データでは省略し、後述する図１６の説明にて図示する。ローパスフィルターや赤外カット吸収フィルターをバックフォーカス中に配置してもよい。
【００６２】
実施例１のズームレンズは、図１に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００６３】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００６４】
物体側から順に、第１レンズ群Ｇ１は、物体側に凸面を向け像側に凹面を向けた負メニスカスレンズと、両凹負レンズと、物体側に凸面を向けた正メニスカスレンズとからなり、第２レンズ群Ｇ２は、両凸正レンズと、物体側に凸面を向けた正メニスカスレンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００６５】
非球面は、第１レンズ群Ｇ１の負メニスカスレンズの両面、両凹負レンズの像側面、第２レンズ群Ｇ２の最も像側の両凸正レンズの両面の５面に用いている。
【００６６】
第２レンズ群Ｇ２の最も物体側の両凸正レンズを像側に移動させることで無限遠距離から至近距離へのフォーカシングを行う。
【００６７】
実施例２のズームレンズは、図２に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００６８】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００６９】
物体側から順に、第１レンズ群Ｇ１は、物体側に凸面を向け像側に凹面を向けた負メニスカスレンズと、両凹負レンズと、両凸正レンズとからなり、第２レンズ群Ｇ２は、両凸正レンズと、物体側に凸面を向けた正メニスカスレンズと、両凸正レンズと、両凹負レンズと物体側に凸面を向けたメニスカス正レンズの接合レンズと、両凸正レンズと両凹負レンズの接合レンズと、両凸正レンズからなり、明るさ絞りＳが第２レンズ群Ｇ２の１番目と２番目のレンズの間の間隔に配置される。
【００７０】
非球面は、第１レンズ群Ｇ１の負メニスカスレンズの両面、第２レンズ群Ｇ２の最も像側の両凸正レンズの両面の４面に用いている。
【００７１】
第２レンズ群Ｇ２の最も物体側の両凸正レンズを像側に移動させることで無限遠距離から至近距離へのフォーカシングを行う。
【００７２】
実施例３のズームレンズは、図３に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００７３】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００７４】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、両凸正レンズと、両凸正レンズと両凹負レンズと両凸正レンズの接合レンズと、両凸正レンズと両凹負レンズの接合レンズと、両凸正レンズからなり、明るさ絞りＳが第２レンズ群Ｇ２の１番目と２番目のレンズの間の間隔に配置される。
【００７５】
非球面は、第１レンズ群Ｇ１の負メニスカスレンズの両面、両凹負レンズの両面、第２レンズ群Ｇ２の最も像側の両凸正レンズの両面の６面に用いている。
【００７６】
第２レンズ群Ｇ２の最も物体側の両凸正レンズを像側に移動させることで無限遠距離から至近距離へのフォーカシングを行う。
【００７７】
実施例４のズームレンズは、図４に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００７８】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００７９】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、物体側に凸面を向けた正メニスカスレンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００８０】
非球面は、第１レンズ群Ｇ１の負メニスカスレンズの両面、両凹負レンズの像側面、第２レンズ群Ｇ２の最も像側の両凸正レンズの両面の５面に用いている。
【００８１】
第２レンズ群Ｇ２の最も物体側の両凸正レンズを像側に移動させることで無限遠距離から至近距離へのフォーカシングを行う。
【００８２】
実施例５のズームレンズは、図５に示すように、物体側から順に、負屈折力の第１レンズ群Ｇ１、正屈折力の第２レンズ群Ｇ２から構成されている。
そして、明るさ絞りＳが第２レンズ群Ｇ２中の最も物体側のレンズ成分（物体側副レンズ群ＳＧ２ａ）と物体側から２番目のレンズ成分の間に配置されている。物体側から２番目のレンズ成分から像側のレンズ成分が像側副レンズ群ＳＧ２ｂを構成する。
【００８３】
広角端から望遠端への変倍をする際の移動状態を以下に示す。
第１レンズ群Ｇ１は、広角端から変倍途中の状態まで像側へ移動し、その状態から望遠端まで物体側へ移動する。望遠端では、広角端の位置より像側に位置する。
第２レンズ群Ｇ２と明るさ絞りＳは、広角端から望遠端まで、第１レンズ群Ｇ１との間隔を狭めながら、一体に物体側へ移動する。
【００８４】
物体側から順に、第１レンズ群Ｇ１は、物体側に凸面を向け像側に凹面を向けた負メニスカスレンズと、両凹負レンズと、物体側に凸面を向け正メニスカスレンズとからなり、第２レンズ群Ｇ２は、両凸正レンズと、物体側に凸面を向けた正メニスカスレンズと物体側に凸面を向けた正メニスカスレンズの接合レンズと、両凸正レンズと両凹負レンズと両凸正レンズの接合レンズと、物体側に凹面を向けた正メニスカスレンズと両凹負レンズの接合レンズと、両凸正レンズからなり、明るさ絞りＳが第２レンズ群Ｇ２の１番目と２番目のレンズの間の間隔に配置される。
【００８５】
非球面は、第１レンズ群Ｇ１の負メニスカスレンズの両面、両凹負レンズの両面、第２レンズ群Ｇ２の最も像側の両凸正レンズの両面の６面に用いている。
【００８６】
第２レンズ群Ｇ２の最も物体側の両凸正レンズを像側に移動させることで無限遠距離から至近距離へのフォーカシングを行う。
【００８７】
以下、各実施例におけるレンズの数値データを示す。
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10、A12は非球面係数、E±Nは×１０±Nをそれぞれ示している。
【００８８】
また、各非球面形状は、各実施例における各非球面係数を用いて、以下の式で表される。
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10＋A12×Ｙ12
ただし、光軸方向の座標をＺ、光軸と垂直な方向の座標をＹとする。
【００８９】
数値実施例１
単位     ｍｍ
面データ
面番号                    ｒ         ｄ        ｎｄ      νｄ
1（非球面）          285.432     2.500    1.8061     40.92
2（非球面）            9.344     6.995
3                    -30.289     1.900    1.5831     59.38
4（非球面）          146.911     1.000
5                     21.720     3.405    1.8052     25.42
6                    198.439     可変
7                    223.185     1.940    1.5500     50.00
8                    -40.508     可変
9（明るさ絞り）        ∞        1.000
10                     15.538     2.186    1.7787     41.84
11                   1391.478     0.200
12                    149.497     4.062    1.4875     70.23
13                    -29.117     0.900    1.9037     31.32
14                     14.259     5.564    1.4970     81.54
15                    -21.672     0.200
16                    -69.876     3.536    1.6129     37.00
17                    -10.084     1.100    1.8830     40.76
18                     25.640     0.364
19（非球面）          21.011      5.200    1.5825     59.32
20（非球面）         -14.814      可変
像面（撮像面）         ∞
非球面データ
第１面
K=328.22,A4=3.896E-05,A6=-2.457E-07,A8=8.354E-10,A10=-1.221E-12
第２面
K=-0.690,A4=-3.169E-05,A6=1.950E-07,A8=-1.062E-08,A10=7.114E-11,A12=-3.377E-13
第４面
K=0.000,A4=8.043E-05,A6=3.713E-07,A8=-4.692E-10,A10=2.478E-11
第１９面
K=0.000,A4=-8.389E-05,A6=4.703E-07,A8=-3.630E-09,A10=1.783E-11
第２０面
K=-0.863,A4=-1.149E-05,A6=-1.448E-07,A8=3.639E-09,A10=-2.567E-11
ズームデータ
広角           望遠
焦点距離          10.20          19.60
Ｆナンバー         4.08           5.77
画角（２ω）      99.9°         58.5°
像高（ＩＨ）      10.82          10.82
無限遠距離合焦時
物体から第１面     ∞             ∞
d6           20.494          1.500
d8            3.764          3.764
d20          21.136         34.866
ＢＦ              21.136         34.866
レンズ全長        87.45          82.18
至近距離合焦時
物体から第１面   161.195        166.429
d6           22.088          3.386
d8            2.169          1.877
d20          21.136         34.866
ズームレンズ群データ(無限遠距離合焦時）
群        始面        焦点距離
1           1          -16.63
2           7           24.29
【００９０】
数値実施例２
単位     ｍｍ
面データ
面番号                    ｒ         ｄ        ｎｄ      νｄ
1（非球面）          259.881     2.862    1.8061     40.92
2（非球面）           12.090     6.660
3                   -129.165     1.514    1.7200     46.02
4                     16.241     3.975
5                     26.845     4.244    1.7552     27.51
6                    -84.436     可変
7                    200.319     1.488    1.7200     43.69
8                    -52.917     可変
9（明るさ絞り）        ∞        1.019
10                     11.325     1.699    1.7170     47.92
11                     16.811     2.012
12                     15.960     3.119    1.4970     81.54
13                    -24.642     0.215
14                    -27.181     2.085    1.8830     40.76
15                      8.486     4.355    1.4875     70.23
16                    485.707     0.200
17                     16.881     7.652    1.4875     70.23
18                    -10.733     1.000    1.8061     40.92
19                    289.247     2.011
20（非球面）           35.050     5.388    1.7432     49.34
21（非球面）          -42.199     可変
像面（撮像面）          ∞
非球面データ
第１面
K=224.787,A4=5.577E-05,A6=-2.794E-07,A8=6.255E-10,A10=-6.712E-13
第２面
K=-0.319,A4=1.256E-05,A6=2.775E-07,A8=-5.365E-09,A10=-1.023E-11,A12=8.892E-14
第２０面
K=1.671,A4=-9.687E-06,A6=6.555E-07,A8=-5.731E-10,A10=4.395E-12
第２１面
K=-4.8048,A4=4.627E-05,A6=3.683E-07,A8=3.160E-09,A10=3.753E-12
ズームデータ
広角           望遠
焦点距離           9.18          17.64
Ｆナンバー         4.08           5.77
画角（２ω）     105.9°         64.1°
像高（ＩＨ）      10.82          10.82
無限遠距離合焦時
物体から第１面      ∞             ∞
d6           23.825          1.526
d8            3.145          3.145
d21          14.981         28.099
ＢＦ              14.981         28.099
レンズ全長        93.49          84.19
至近距離合焦時
物体から第１面   155.108        164.047
d6           25.581          3.176
d8            1.383          1.500
d21          14.981         28.099
ズームレンズ群データ(無限遠距離合焦時）
群        始面        焦点距離
1           1          -16.67
2           7           25.61
【００９１】
数値実施例３
単位     ｍｍ
面データ
面番号                    ｒ         ｄ        ｎｄ      νｄ
1（非球面）          270.000     2.500    1.8061     40.92
2（非球面）            9.581     7.868
3（非球面）          -29.530     1.900    1.5831     59.38
4（非球面）          131.709     1.679
5                     23.237     3.550    1.8052     25.42
6                    199.460     可変
7                     91.294     1.940    1.5508     50.02
8                    -54.840     可変
9（明るさ絞り）        ∞        1.000
10                     16.352     3.235    1.6983     45.38
11                   -502.856     0.200
12                     95.470     5.375    1.4875     70.23
13                    -22.204     0.900    1.9037     31.32
14                     14.744     5.608    1.4970     81.54
15                    -25.369     0.200
16                    882.016     3.758    1.6129     37.00
17                    -11.915     1.100    1.8830     40.76
18                     29.134     0.350
19（非球面）           21.255     5.200    1.5825     59.32
20（非球面）          -17.042     可変
像面（撮像面）          ∞
非球面データ
第１面
K=207.60,A4=2.493E-05,A6=-1.316E-07,A8=4.345E-10,A10=-5.985E-13
第２面
K=-0.859,A4=-4.460E-05,A6=1.766E-07,A8=-5.948E-09,A10=3.483E-11,A12=-7.197E-14
第３面
K=-0.1445,A4=-3.773E-06,A6=1.829E-07,A8=2.361E-10,A10=-1.848E-12
第４面
K=0.000,A4=8.459E-05,A6=4.913E-07,A8=6.382E-10,A10=-3.051E-12
第１９面
K=0.000,A4=-5.724E-05,A6=3.097E-07,A8=-1.306E-09,A10=1.094E-11
第２０面
K=-1.277,A4=4.148E-06,A6=4.384E-08,A8=2.274E-09,A10=2.946E-12
ズームデータ
広角           望遠
焦点距離           9.18          17.64
Ｆナンバー         4.08           5.77
画角（２ω）     105.7°         63.5°
像高（ＩＨ）      10.82          10.82
無限遠距離合焦時
物体から第１面      ∞             ∞
d6           22.709          1.500
d8            3.883          3.883
d20          18.279         31.037
ＢＦ              18.279         31.037
レンズ全長        91.23          82.78
至近距離合焦時
物体から第１面   157.295         165.800
d6           24.277          3.297
d8            2.316          2.087
d20          18.279         31.037
ズームレンズ群データ(無限遠距離合焦時）
群        始面        焦点距離
1           1          -16.41
2           7           24.74
【００９２】
数値実施例４
単位     ｍｍ
面データ
面番号                    ｒ         ｄ        ｎｄ      νｄ
1（非球面）          338.104     2.500    1.8061     40.92
2（非球面）            9.461     6.184
3                    -28.653     1.900    1.5831     59.38
4（非球面）          189.462     1.000
5                     21.356     3.192    1.8052     25.42
6                    198.383     可変
7                    379.117     1.940    1.5532     52.41
8                    -37.974     可変
9（明るさ絞り）        ∞        1.000
10                     15.170     2.291    1.7863     41.57
11                    378.434     0.200
12                    147.910     3.435    1.4875     70.23
13                    -32.720     0.900    1.9037     31.32
14                     14.723     5.985    1.4970     81.54
15                    -23.347     0.200
16                   -204.418     3.726    1.6129     37.00
17                     -9.998     1.100    1.8830     40.76
18                     20.819     0.486
19（非球面）           19.506     5.200    1.5825     59.32
20（非球面）          -15.903     可変
像面（撮像面）          ∞
非球面データ
第１面
K=563.78,A4=5.709E-05,A6=-3.634E-07,A8=1.208E-09,A10=-1.767E-12
第２面
K=-0.435,A4=-4.103E-05,A6=7.551E-08,A8=-1.168E-08,A10=3.840E-11,A12=-3.730E-13
第４面
K=0.000,A4=8.548E-05,A6=3.413E-07,A8=-1.992E-10,A10=4.110E-11
第１９面
K=0.000,A4=-7.166E-05,A6=3.633E-07,A8=-2.984E-09,A10=2.245E-11
第２０面
K=-0.779,A4=-1.003E-05,A6=-1.344E-07,A8=2.677E-09,A10=-1.595E-11
ズームデータ
広角           望遠
焦点距離          11.22          21.56
Ｆナンバー         4.08           5.77
画角（２ω）      93.4°         53.9°
像高（ＩＨ）      10.82          10.82
無限遠距離合焦時
物体から第１面      ∞             ∞
d6           19.666          2.232
d8            3.350          3.350
d20          22.091         36.962
ＢＦ              22.091         36.962
レンズ全長        86.35          83.78
至近距離合焦時
物体から第１面   162.227        164.800
d6           21.304          4.185
d8            1.713          1.396
d20          22.091         36.962
ズームレンズ群データ(無限遠距離合焦時）
群        始面        焦点距離
1           1          -16.84
2           7           24.22
【００９３】
数値実施例５
単位     ｍｍ
面データ
面番号                    ｒ         ｄ        ｎｄ      νｄ
1（非球面）          269.996     2.500    1.8061     40.92
2（非球面）            9.731     8.809
3（非球面）          -30.470     1.900    1.5831     59.38
4（非球面）           62.995     2.657
5                     24.490     3.807    1.8052     25.42
6                    226.586     可変
7                     55.084     1.940    1.5629     50.41
8                    -96.146     可変
9（明るさ絞り）        ∞        1.000
10                     18.267     2.365    1.6580     47.78
11                     18.806     2.281    1.6386     33.83
12                    349.721     1.551
13                     21.858     2.397    1.4875     70.23
14                    -35.685     0.900    1.9037     31.32
15                     12.087     7.638    1.4970     81.54
16                    -16.936     0.200
17                    -32.946     2.921    1.6129     37.00
18                    -11.868     1.000    1.8830     40.76
19                     54.435     0.350
20（非球面）           22.777     5.755    1.5825     59.32
21（非球面）          -21.280     可変
像面（撮像面）          ∞
非球面データ
第１面
K=187.82,A4=1.683E-05,A6=-1.173E-07,A8=4.407E-10,A10=-5.779E-13
第２面
K=-0.988,A4=-6.429E-05,A6=6.826E-08,A8=-4.804E-09,A10=4.020E-11,A12=-7.592E-14
第３面
K=-0.6094,A4=4.891E-06,A6=1.699E-07,A8=-2.416E-10,A10=5.664E-13
第４面
K=0.000,A4=1.132E-04,A6=4.594E-07,A8=-3.550E-10,A10=-8.878E-12
第２０面
K=0.000,A4=-1.530E-05,A6=7.722E-07,A8=2.270E-10,A10=1.883E-11
第２１面
K=-3.326,A4=2.344E-05,A6=8.464E-07,A8=-2.149E-09,A10=9.076E-11
ズームデータ
広角           望遠
焦点距離           8.16          15.68
Ｆナンバー         4.08           5.77
画角（２ω）     111.9°         69.2°
像高（ＩＨ）      10.82          10.82
無限遠距離合焦時
物体から第１面     ∞             ∞
d6           24.031          1.500
d8            3.921          3.921
d21          17.323         29.738
ＢＦ              17.323         29.738
レンズ全長        95.24          85.13
至近距離合焦時
物体から第１面   153.388        163.479
d6           25.416          3.062
d8            2.536          2.358
d21          17.323         29.738
ズームレンズ群データ(無限遠距離合焦時）
群        始面        焦点距離
1           1          -15.24
2           7           25.16
【００９４】
以上の実施例１〜５の無限遠距離合焦時の収差図をそれぞれ図６、図８、図１０、図１２、図１４に示す。実施例１から５の至近距離合焦時の収差図をそれぞれ図７、図９、図１１、図１３、図１５に示す。これらの収差図において、（ａ）は広角端、（ｂ）は望遠端における球面収差ＳＡ、非点収差ＡＳ、歪曲収差ＤＴ、倍率色収差ＣＣを示す。なお、各収差図中、“ＦＩＹ”は像高を表す。
【００９５】
次に、上記各実施例における条件式（１）〜（Ａ）の対応値を示す。
条件式               実施例１    実施例２    実施例３    実施例４    実施例５  
（１）                1.537       1.541       1.517       1.557       1.408
（２）                2.246       2.368       2.287       2.239       2.326
（３）                5.778       5.388       5.778       5.778       5.778
（４）                0.724       0.949       0.754       0.719       0.825
（５）                0.944       0.808       0.871       0.937       0.841
（６）               -1.068      -1.098      -1.074      -1.058      -1.075
（Ａ）                99.9°     105.9°     105.7°      93.4°     111.9°
【００９６】
各実施例にて、以下の構成としてもよい。
【００９７】
上述の各実施例のズームレンズは矩形の光電変換面（撮像面）上に広角端では樽型の歪曲収差が発生した像が形成される。一方、中間焦点距離状態付近や望遠端では歪曲収差の発生が抑えられる。広角端付近で発生する歪曲収差を画像処理で補正するために、有効撮像領域を、広角端では樽型形状とし、中間焦点距離状態や望遠端では矩形の形状となるようにしてもよい。その場合、あらかじめ設定した有効撮像領域を画像処理により画像変換し、歪みを低減させた矩形の画像情報に変換する。そのため、広角端での像高ＩＨｗは、中間焦点距離状態の像高ＩＨｓや望遠端での像高ＩＨｔよりも小さくなる。
また、このような構成とすれば、第１レンズ群の有効径がいっそう小さくなるので、小径化に有利となる。
【００９８】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
倍率色収差はズーム状態、フォーカス状態、絞り値によって変化するが、各レンズポジション（ズーム状態、フォーカス状態、絞り値）ごとに、第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号を出力することができる。
【００９９】
またゴースト、フレア等の不要光をカットするために、明るさ絞り以外にフレア絞りを任意に配置してもよい。
第１レンズ群の物体側、第１、２レンズ群間、最も像面側の群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また不要光束をカットするだけでなく画面周辺のコマフレア等の光束をカットしても良い。
【０１００】
また、各レンズの空気接触面や接合面に反射防止コートを行い、ゴースト、フレアを軽減してもかまわない。マルチコートであれば効果的にゴースト、フレアを軽減できるので望ましい。２層あるいはそれ以上の膜数のコート材や膜厚を適宜組み合わせることで、更なる反射率の低減や、反射率の分光特性・角度特性等のコントロールなどを行うことが可能となる。また赤外カットコートをレンズ面、カバーガラス等に行ってもかまわない。
【０１０１】
図１６は、本発明の撮影用２群ズームレンズを用い、撮像素子として小型のＣＣＤ又はＣ−ＭＯＳセンサー等を用いたレンズ交換式一眼レフレックスカメラの断面図である。図１６において、１は一眼レフレックスカメラ、２は変倍機構と合焦機構を備えた鏡筒内に配置された本発明に基づく撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
また、４は撮像素子面（撮像面）、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。クイックリターンミラー５と撮像素子面４との間には、振動により埃を振り払う防塵フィルター、赤外カットフィルター、ローパスフィルターなどのフィルター類、撮像面を保護するカバーガラスが配置される。
【０１０２】
このような構成の一眼レフレックスカメラ１の撮影レンズ系２として、例えば上記実施例１に示した本発明の撮影用２群ズームレンズが用いられる。
【０１０３】
また、本発明は、クイックリターンミラーを持たないレンズ交換式デジタルカメラの交換レンズとすることもできる。広い画角が必要な監視カメラや、レンズ交換式ではない所謂コンパクトデジタルカメラに適用してもよい。
【符号の説明】
【０１０４】
Ｇ１…第１レンズ群
Ｇ２…第２レンズ群
Ｓ…明るさ絞り
ＳＧ２ａ…物体側副レンズ群
ＳＧ２ｂ…像側副レンズ群
Ｉ…像面（撮像面）
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー